(57)【特許請求の範囲】
【請求項１】
モジュール式分配装置において、
前側、後側、２つの側壁、上壁、及び底壁を有するフレームと、
前記フレーム内の第１のエンクレーブ及び第２のエンクレーブと、
前記第１のエンクレーブ内に位置する第１の飲料ディスペンサーと、
前記第２のエンクレーブ内に位置する第２の飲料ディスペンサーと、
前記第１のエンクレーブと前記第２のエンクレーブとの間に位置付けられた氷ディスペンサーと、
前記氷ディスペンサーを囲み、２つのハウジング側壁及び前壁を有するアイスディスペンサーハウジングであって、前記前壁が、前記氷ディスペンサーの氷取り出しへのアクセスを可能にする開口部を有するものである、アイスディスペンサーハウジングと、
を備えた、モジュール式分配装置。
【請求項２】
前記２つのハウジング側壁及び前記前壁が一体型構造である、請求項１に記載のモジュール式分配装置。
【請求項３】
前記氷ディスペンサーハウジングが前記氷ディスペンサーに取り付けられていない、請求項１に記載のモジュール式分配装置。
【請求項４】
前記モジュール式分配装置が現場に設置されるときに、前記２つのハウジング側壁が前記現場の壁に取り付けられる、請求項１に記載のモジュール式分配装置。
【請求項５】
前記モジュール式分配装置が現場の壁に隣接して設置されるか、又は埋め込まれるときに、前記氷ディスペンサーハウジングが前記現場の前記壁と同じ又は類似の色である、請求項１に記載のモジュール式分配装置。
【請求項６】
前記後側が後壁を含み、前記後壁及び前記氷ディスペンサーハウジングが一体型構造である、請求項１に記載のモジュール式分配装置。
【請求項７】
モジュール式分配装置において、
前側、後側、２つの側壁、上壁、及び底壁を有し、前記底壁、２つの側壁、及び上壁が一体型構造である、フレームと、
前記フレーム内の第１のエンクレーブ及び第２のエンクレーブと、
前記第１のエンクレーブ内に位置する第１の飲料ディスペンサーと、
前記第２のエンクレーブ内に位置する第２の飲料ディスペンサーと、
前記第１のエンクレーブと前記第２のエンクレーブとの間に位置付けられた氷ディスペンサーと、
前記氷ディスペンサーを囲み、２つのハウジング側壁及び前壁を有する氷ディスペンサーハウジングであって、前記前壁が前記氷ディスペンサーの氷取り出し口へのアクセスを可能にする開口部を有し、前記モジュール式分配装置が現場の壁に隣接して設置されるか、又は埋め込まれるときに、前記現場の前記壁と同じ又は類似の色である氷ディスペンサーハウジングと、
を備えた、モジュール式分配装置。
【請求項８】
前記底壁、２つの側壁、上壁、及び氷ディスペンサーハウジングが一体型構造である、請求項７に記載のモジュール式分配装置。
【発明の詳細な説明】
【関連出願の相互参照】
【０００１】
本出願は、２０１４年１月２７日に出願された米国特許仮出願番号第６１／９３１，９２８号の優先権を主張する。本出願は、上記出願の優先権及び利益を主張するものであり、その全体は本願に組み込まれる。
【技術分野】
【０００２】
本発明は、モジュール式飲料及び氷分配装置に関する。
【背景技術】
【０００３】
レストラン、ガソリンスタンド、コンビニエンスストア、劇場、並びにその他の娯楽及び／又は飲食サービスの現場に見られるもの等、さまざまな飲料分配システムは、典型的に「ドロップイン」ディスペンサー装置又はカウンタートップ型ディスペンサー装置のいずれかを有する。ドロップインディスペンサー装置では、ディスペンサー装置は内蔵型であり、カウンタートップの開口部に落とし込まれ得る。カウンタートップ型ディスペンサー装置では、ディスペンサー装置はカウンタートップの上に置かれている。従来の飲料ディスペンサーでは、分配ヘッドが、その分配ヘッドに特定の飲料シロップを供給するための専用の単一パイプを介して特定の飲料シロップ供給源に連結されており、特定の飲料シロップ供給源は典型的に、カウンタートップの近く、すなわちカウンタートップのすぐ下、又はカウンタートップのすぐ上に配置される。
【０００４】
従来の飲料ディスペンサーは概ね、飲料の種類ごとの標識又はラベルを使用して、利用可能な飲料の情報を提供する。利用可能な飲料の数が増えるにつれ、利用可能な飲料に関する情報をユーザーに提供することが難しくなる。
【０００５】
典型的に、氷及び飲料ディスペンサーは、カウンタートップの中又は上に、その他のさまざまな製品及び備品の間に置かれる。従来の氷ディスペンサーは大きく目につきやすいため、多くの場合、消費者の注目を集める。大量の飲料情報、無秩序なディスペンサーの場所、並びに多数の装置及び備品の散乱に消費者は圧倒され、ブランドの宣伝機会が失われる。
【発明の概要】
【発明が解決しようとする課題】
【０００６】
そのため、利用可能な製品に関する情報をより効果的に提供し、より良い消費者エクスペリエンスを作る、改善された氷及び飲料分配システムの必要性が存在する。
【課題を解決するための手段】
【０００７】
本項目は、概念の抜粋を簡略して紹介するために提供されており、これについては後述の「発明を実施するための形態」で更に詳しく説明する。本項目は、本発明の主要又は本質的な特徴を識別することを意図しない。
【０００８】
消費者エクスペリエンスの骨組みを作り、消費者の動揺を最小限に抑え、利用可能な製品に対する消費者の注目度を最大化する、モジュール式氷及び飲料分配装置が開示される。さまざまな実施形態では、モジュール式分配装置は、一貫した飲料分配エクスペリエンスを生み、何らの機能性も損なうことなく氷ディスペンサーのサイズ（すなわち、幅、奥行き、及び高さ）を隠す。
【０００９】
さまざまな実施形態では、前側、後側、２つの側壁、上壁、中間壁、及び底壁を有するフレームを含む、モジュール式分配装置が提供される。フレームは、第１のエンクレーブ及び第２のエンクレーブをフレーム内に有し、第１のエンクレーブ内に第１の飲料ディスペンサーが位置し、第２のエンクレーブ内に第２の飲料ディスペンサーが位置する。氷ディスペンサーは第１のエンクレーブと第２のエンクレーブとの間に位置付けられ、氷ディスペンサーハウジングは氷ディスペンサーのほぼ全体を囲む。
【００１０】
他の実施形態では、前側、後側、２つの側壁、上壁、中間壁、及び底壁を有するフレームを含む、モジュール式分配装置が提供される。フレームは、第１のエンクレーブ及び第２のエンクレーブをフレーム内に有し、第１のエンクレーブ内に第１の飲料ディスペンサーが位置し、第２のエンクレーブ内に第２の飲料ディスペンサーが位置する。氷ディスペンサーは第１のエンクレーブと第２のエンクレーブとの間に位置付けられ、氷ディスペンサーハウジングは氷ディスペンサーを囲む。氷ディスペンサーハウジングは、２つのハウジング側壁及び前壁を有し、前壁は、氷ディスペンサーの氷取り出し口へのアクセスを可能にする開口部を有する。
【００１１】
更なる実施形態では、前側、後側、２つの側壁、上壁、中間壁、及び底壁を有するフレームを含む、モジュール式分配装置が提供される。中間壁、２つの側壁、及び上壁は一体型構造である。フレームは、第１のエンクレーブ及び第２のエンクレーブをフレーム内に有し、第１のエンクレーブ内に第１の飲料ディスペンサーが位置し、第２のエンクレーブ内に第２の飲料ディスペンサーが位置する。氷ディスペンサーは第１のエンクレーブと第２のエンクレーブとの間に位置付けられ、氷ディスペンサーハウジングは氷ディスペンサーを囲む。氷ディスペンサーハウジングは、２つのハウジング側壁及び前壁を有し、前壁は、氷ディスペンサーの氷取り出し口へのアクセスを可能にする開口部を有する。モジュール式分配装置が現場の壁に隣接して設置されるか、又は凹設されるときに、氷ディスペンサーハウジングは現場の壁と同じ又は類似の色である。
【００１２】
追加の実施形態について本明細書に記載する。
【図面の簡単な説明】
【００１３】
いくつかの実施形態が、限定するものではないが、添付図面の図に例として示されており、同一の要素には同一の参照番号を付す。
【図１】１つ以上の実施形態によるモジュール式分配装置を示す。
【図２】１つ以上の実施形態によるモジュール式分配装置を示す。
【図３】１つ以上の実施形態による氷ディスペンサーハウジングを示す。
【図４】１つ以上の実施形態による氷ディスペンサーハウジングの分解図を示す。
【図５】１つ以上の実施形態による氷ディスペンサーハウジングを示す。
【図６Ａ】１つ以上の実施形態による氷ディスペンサーハウジングの正面図を示す。
【図６Ｂ】１つ以上の実施形態による氷ディスペンサーハウジングの側面図を示す。
【図７Ａ】１つ以上の実施形態による飲料ディスペンサーの正面図を示す。
【図７Ｂ】１つ以上の実施形態による飲料ディスペンサーの側面図を示す。
【図８】１つ以上の実施形態によるモジュール式分配装置を示す。
【図９】１つ以上の実施形態によるモジュール式分配装置の分解図を示す。
【図１０Ａ】１つ以上の実施形態によるモジュール式分配装置の背面図を示す。
【図１０Ｂ】図１０Ａのモジュール式分配装置の貯蔵エリアの分解背面図を示す。
【図１０Ｃ】図１０Ａのモジュール式分配装置の側壁及び中間壁の一部の分解図を示す。
【図１０Ｄ】図１０Ａのモジュール式分配装置の氷ディスペンサーハウジング及び後壁の一部の分解図を示す。
【図１１Ａ】１つ以上の実施形態によるモジュール式分配装置の鳥瞰図を示す。
【図１１Ｂ】図１１Ａのモジュール式分配装置の上壁及び側壁の一部の分解図を示す。
【図１２】１つ以上の実施形態によるモジュール式分配装置を示す。
【図１３】１つ以上の実施形態によるモジュール式分配装置を示す。
【図１４】１つ以上の実施形態によるモジュール式分配装置を示す。
【図１５】本開示の１つ以上の実施形態に従った追加のモジュール式分配装置を示す。
【図１６】図１５の追加のモジュール式分配装置の側面斜視図を示す。
【発明を実施するための形態】
【００１４】
さまざまな実施形態は、本明細書に記載された特定の実施形態に限定されない。更に、本明細書で使用する用語は、特定の実施形態のみを説明するためのものであり、限定することを意図しない。
【００１５】
図１は、１つ以上の実施形態によるモジュール式分配装置１を示す。モジュール式分配装置１は、前側３、後側４、２つの側壁５及び６、上壁７、中間壁８、並びに底壁４１を有する、フレーム２を有する。第１のエンクレーブ９及び第２のエンクレーブ１０は、フレーム２内に位置している。第１の飲料ディスペンサー１１は、第１のエンクレーブ９に配置される。第２の飲料ディスペンサー１２は、第２のエンクレーブ１０に配置される。氷ディスペンサー１３は、第１のエンクレーブ９と第２のエンクレーブ１０との間に位置付けられる。氷ディスペンサーハウジング１４は、氷ディスペンサー１３のほぼ全体を囲む。氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。氷ディスペンサー１３に氷を入れられるように、氷ディスペンサーハウジング１４は蓋２７を有してよい。一体型ベゼル／ノズルカバー２４は、氷ディスペンサー１３の氷取り出し口２３を少なくとも部分的にカバーしてよい。氷ディスペンサーハウジング１４は、グラフィック処理、広告、ロゴ、商標名、又は図案３６のための窓２６を更に有してよい。氷ディスペンサー１３又は氷ディスペンサーハウジング１４の一部のいずれかから存在するレバー７４には、開口部２２を介してアクセスできる。
【００１６】
前側３、後側４、２つの側壁５及び６、上壁７、中間壁８、並びに底壁４１を含むフレーム２と、氷ディスペンサーハウジング１４とは、任意の好適な材料で構成されてよい。例示の材料としては、限定するものではないが、ステンレス鋼、アルミニウム、プラスチック、木材、及びそれらの組み合わせが挙げられる。いくつかの実施形態では、フレーム２及び／又は氷ディスペンサーハウジング１４の全体がプラスチックで作製されてよい。他の実施形態では、フレーム２及び／又は氷ディスペンサーハウジング１４の全体がステンレス鋼で作製されてよい。更なる実施形態では、フレーム２及び／又は氷ディスペンサーハウジング１４の全体がアルミニウムで作製されてよい。またその他の実施形態では、中間壁８がステンレス鋼であり、フレーム２及び／又は氷ディスペンサーハウジング１４の残部はプラスチックである。なお更なる実施形態では、中間壁８がアルミニウムであり、フレーム２及び／又は氷ディスペンサーハウジング１４の残部はプラスチックである。特定の実施形態では、フレーム２及び／又は氷ディスペンサーハウジング１４は、ステンレス鋼、アルミニウム、及びプラスチックで作製されてよい。
【００１７】
モジュール式分配装置１の底壁４１、中間壁８、２つの側壁５及び６、上壁７、並びに氷ディスペンサーハウジング１４は、一体型構造、単一構造、又はそれらの組み合わせであってよい。特定の実施形態では、モジュール式分配装置１の底壁４１、中間壁８、２つの側壁５及び６、並びに上壁７は、一体型構造である。更なる実施形態では、モジュール式分配装置１の底壁４１、中間壁８、２つの側壁５及び６、上壁７、並びに  氷ディスペンサーハウジング１４は、一体型構造である。いくつかの実施形態では、モジュール式分配装置１の中間壁８、２つの側壁５及び６、並びに上壁７は、一体型構造である。図１に、非限定的な例を示す。他の実施形態では、モジュール式分配装置１の底壁４１、中間壁８、２つの側壁５及び６、上壁７、並びに氷ディスペンサーハウジング１４は、単一構造である。更なる実施形態では、他の構成要素が単一構造である一方、フレーム２構成要素のいくつかは一体型構造であってよい。例えば、上壁７が単一構造である一方、モジュール式分配装置１の中間壁８、並びに２つの側壁５及び６は一体型構造であってよい。他の実施形態では、中間壁８が単一構造である一方、モジュール式分配装置１の上壁７並びに２つの側壁５及び６は一体型構造であってよい。特定の実施形態では、中間壁８、２つの側壁５及び６、上壁７、並びに氷ディスペンサーハウジング１４は、一体型構造である。さまざまな実施形態では、氷ディスペンサーハウジング１４は、一体型構造の中間壁８、２つの側壁５及び６、並びに上壁７を含むフレーム２に設置され得る、組み立て式の装置である。他の実施形態では、氷ディスペンサーハウジング１４は、単一構造の中間壁８、２つの側壁５及び６、並びに上壁７を含むフレーム２に設置され得る、組み立て式の装置である。
【００１８】
特定の実施形態では、モジュール式分配装置１は、中間壁８の下に位置する貯蔵エリア１７を有する。貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ等）、飲料成分、炭酸ガス、氷ディスペンサー機器、飲料ディスペンサー機器、冷却機器、ゴミ、又はそれらの組み合わせを収容するために使用されてよい。
【００１９】
さまざまな実施形態では、後側４は後壁１５を含む。モジュール式分配装置１の後壁１５、底壁４１、中間壁８、２つの側壁５及び６、上壁７、貯蔵エリア１７、並びに氷ディスペンサーハウジング１４は、一体型構造、単一構造、又はそれらの組み合わせであってよい。特定の実施形態では、モジュール式分配装置１のさまざまな個々の構成要素（すなわち、後壁１５、底壁４１、中間壁８、２つの側壁５及び６、上壁７、貯蔵エリア１７、並びに氷ディスペンサーハウジング１４）は、副構成要素で作製されてよい。例えば、いくつかの実施形態では、上壁７は、２つ以上の副上壁構成要素を含んでよい。他の実施形態では、後壁１５は、２つ以上の副後壁構成要素を含んでよい。更なる実施形態では、底壁４１は、２つ以上の副底壁構成要素を含んでよい。特定の実施形態では、中間壁８は、２つ以上の副中間壁構成要素を含んでよい。他の実施形態では、２つの側壁５及び６は、２つ以上の副側壁構成要素を含んでよい。更なる実施形態では、貯蔵エリア１７は、２つ以上の副貯蔵エリア構成要素を含んでよい。なお他の実施形態では、氷ディスペンサーハウジング１４は、２つ以上の副氷ディスペンサーハウジング構成要素を含んでよい。
【００２０】
１つ以上の実施形態では、モジュール式分配装置１の底壁４１、貯蔵エリア１７、後壁１５、中間壁８、２つの側壁５及び６、並びに上壁７は、一体型構造である。特定の実施形態では、モジュール式分配装置１の後壁１５、中間壁８、２つの側壁５及び６、並びに上壁７は、一体型構造である。他の実施形態では、モジュール式分配装置１の底壁４１、貯蔵エリア１７、後壁１５、中間壁８、２つの側壁５及び６、並びに上壁７は、単一構造である。更なる実施形態では、他の構成要素が単一構造である一方、フレーム２構成要素のいくつかは一体型構造であってよい。例えば、上壁７が単一構造である一方、モジュール式分配装置１の後壁１５、中間壁８、並びに２つの側壁５及び６は一体型構造であってよい。他の実施形態では、中間壁８が単一構造である一方、モジュール式分配装置１の後壁１５、上壁７、並びに２つの側壁５及び６は一体型構造であってよい。更なる実施形態では、後壁１５が単一構造である一方、モジュール式分配装置１の中間壁８、２つの側壁５及び６、並びに上壁７は、一体型構造であってよい。なお更なる実施形態では、２つの側壁５及び６は単一構造である一方、後壁１５、中間壁８、及び上壁７は一体型構造である。
【００２１】
他の実施形態では、後側４は後壁１５を含み、後壁１５及び氷ディスペンサーハウジング１４は一体型構造である。更なる実施形態では、中間壁８、２つの側壁５及び６、上壁７、及び氷ディスペンサーハウジング１４は、一体型構造である。
【００２２】
いくつかの実施形態では、上壁７は、第１の飲料ディスペンサー１１の上に位置する第１のスポットライト６８（図１には表示なし。図１４を参照のこと）と、第２の飲料ディスペンサー１２の上に位置する第２のスポットライト６９（図１には表示なし。図１４を参照のこと）と、を更に含んでよい。特定の実施形態では、第１のスポットライト６８（図１には表示なし。図１４を参照のこと）及び第２のスポットライト６９（図１には表示なし。図１４を参照のこと）は、上壁７に凹設されている。第１のスポットライト６８（図１には表示なし。図１４を参照のこと）及び第２のスポットライト６９（図１には表示なし。図１４を参照のこと）は、何らの特定の種類のライトにも限定されない。
【００２３】
更なる実施形態では、モジュール式分配装置１は、第１の飲料ディスペンサー１１の前にいるユーザーの存在に基づいて、第１の飲料ディスペンサー１１の上にある第１のスポットライト６８（図１には表示なし。図１４を参照のこと）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサー１１の上にある第１のスポットライト６８（図１には表示なし。図１４を参照のこと）を起動させる、ジェスチャー検出器を更に含んでよい。
【００２４】
いくつかの実施形態では、モジュール式分配装置１は、第２の飲料ディスペンサー１２の前にいるユーザーの存在に基づいて、第２の飲料ディスペンサー１２の上にある第２のスポットライト６９（図１には表示なし。図１４を参照のこと）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサー１２の上にある第２のスポットライト６９（図１には表示なし。図１４を参照のこと）を起動させる、ジェスチャー検出器を更に含んでよい。
【００２５】
いくつかの実施形態では、中間壁８は、第１の凹状ポケット（複数を含む）又は容器（複数を含む）４６及び第２の凹状ポケット（複数を含む）又は容器（複数を含む）４７を含んでよい。第１の凹状ポケット（複数を含む）又は容器（複数を含む）４６及び第２の凹状ポケット（複数を含む）又は容器（複数を含む）４７は、例えば、中間壁８の上面の下にストロー、蓋、又はカップを貯蔵及び／又は分配するために使用されてよい。第１の凹状ポケット（複数を含む）又は容器（複数を含む）４６及び第２の凹状ポケット（複数を含む）又は容器（複数を含む）４７は、散乱を軽減し、利用可能な製品に対する消費者の注意を更に集中させる。特定の実施形態では、第１の凹状ポケット（複数を含む）又は容器（複数を含む）４６は、第１の飲料ディスペンサー１１に隣接して位置付けられ、第２の凹状ポケット（複数を含む）又は容器（複数を含む）４７は、第２の飲料ディスペンサー１２に隣接して位置付けられ、第１の飲料ディスペンサー１１及び第２の飲料ディスペンサー１２の両方のユーザーが、ストロー、蓋、カップ、又はそれらの組み合わせに簡単かつ迅速にアクセスし、利用可能な製品に集中し、他のユーザーのエクスペリエンスの妨げとならないようにすることを可能にする。
【００２６】
さまざまな実施形態では、中間壁８は、第１のゴミ収容開口部４２及び第２のゴミ収容開口部４３を有してよい。特定の実施形態では、第１のゴミ収容開口部４２は、第１の飲料ディスペンサー１１に隣接して位置付けられ、第２のゴミ収容開口部４３は、第２の飲料ディスペンサー１２に隣接して位置付けられ、第１の飲料ディスペンサー１１及び第２の飲料ディスペンサー１２の両方のユーザーが、ゴミを簡単かつ迅速に処分し、利用可能な製品に集中し、他のユーザーのエクスペリエンスの妨げとならないようにすることを可能にする。
【００２７】
特定の実施形態では、氷ディスペンサーハウジング１４は、第１のナプキンディスペンサー開口部４８及び第２のナプキンディスペンサー開口部４９を有してよい。いくつかの実施形態では、第１のナプキンディスペンサー開口部４８は、第１の飲料ディスペンサー１１に隣接して位置付けられ、第２のナプキンディスペンサー開口部４９は、第２の飲料ディスペンサー１２に隣接して位置付けられ、第１の飲料ディスペンサー１１及び第２の飲料ディスペンサー１２の両方のユーザーが、ナプキンに簡単かつ迅速にアクセスし、利用可能な製品に集中し、他のユーザーのエクスペリエンスの妨げとならないようにすることを可能にする。ナプキンディスペンサー（図示なし）は、第１のナプキンディスペンサー開口部４８及び第２のナプキンディスペンサー開口部４９に隣接する、氷ディスペンサーハウジング１４の内側に配置されてよい。
【００２８】
特定の実施形態では、モジュール式分配装置１は、上壁７並びに／又は側壁５及び／若しくは６を介して、前側３に取り付けられた、又は接続された、前面パネル１６を更に含んでよい。モジュール式分配装置１の中間壁８、２つの側壁５及び６、上壁７、並びに前面パネル１６は、一体型構造、単一構造、又はそれらの組み合わせであってよい。
【００２９】
さまざまな実施形態では、モジュール式分配装置１は、モジュール式分配装置１の上に又は隣接して配置された広告、ロゴ、商標名、又は図案３６（図１には表示なし。図２、３、５、６Ａ、７Ａ、７Ｂ、１３、及び１４を参照のこと）を更に有してよい。例えば、広告、ロゴ、商標名、又は図案３６（図１には表示なし。図２、３、５、６Ａ、７Ａ、７Ｂ、１３、及び１４を参照のこと）は、底壁４１、前側３、後側４、後壁１５、側壁５及び／又は６、上壁７、中間壁８、前面パネル１６、貯蔵エリア１７、第１の飲料ディスペンサー１１、第２の飲料ディスペンサー１２、氷ディスペンサーハウジング１４、又はそれらの組み合わせの上に又は隣接して配置されてよい。
【００３０】
ベース部７５は、底壁４１の下に位置付けられてよい。さまざまな実施形態では、ベース部７５及び底壁４１は、一体型構造又は単一構造であってよい。いくつかの実施形態では、ベース部７５は、底壁４１に取り付けられる。他の実施形態では、ベース部７５及び底壁４１は、一体型構造である。特定の実施形態では、ベース部７５は、現場の床に取り付けられてよい。ベース部７５の例としては、限定されるものではないが、プラットフォーム、ホイール、キャスター、脚、ペグ、ブロック、又はそれらの組み合わせが挙げられる。
【００３１】
さまざまな実施形態では、氷ディスペンサーハウジング１４は、氷ディスペンサー１３に取り付けられない。特定の実施形態では、氷ディスペンサーハウジング１４は、後側４、後壁１５、中間壁８、２つの側壁５及び／又は６、上壁７、又はそれらの組み合わせに取り付けられる。いくつかの実施形態では、氷ディスペンサーハウジング１４は、後側４に取り付けられる。他の実施形態では、氷ディスペンサーハウジング１４は、後壁１５に取り付けられる。更なる実施形態では、氷ディスペンサーハウジング１４は、中間壁８に取り付けられる。なお他の実施形態では、氷ディスペンサーハウジング１４は、２つの側壁５及び６に取り付けられる。なお更なる実施形態では、氷ディスペンサーハウジング１４は、上壁７に取り付けられる。他の実施形態では、モジュール式分配装置１が現場に設置されるときに、氷ディスペンサーハウジング１４は現場の壁に取り付けられる。
【００３２】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【００３３】
氷ディスペンサー１３の外観を最小化し、消費者のエクスペリエンスを作るため、モジュール式分配装置１が現場に設置されるときに、氷ディスペンサーハウジング１４は現場の壁と同じ又は類似の色であってよい。氷ディスペンサーハウジング１４と現場の壁の色を合わせることにより、氷ディスペンサー１３は現場の壁と本質的に調和する。氷ディスペンサーハウジング１４が現場の壁と調和していると、消費者は利用可能な製品及びブランド情報に集中する。一貫した飲料分配エクスペリエンスが生じ、何らの機能性も失われることなく、氷ディスペンサー１３のサイズ（すなわち、幅、奥行き、及び高さ）が隠される。更に、フレーム２が存在し、氷ディスペンサーハウジング１４が現場の壁と同じ又は類似の色である場合、現場及び機器の混乱によって消費者の気が散る可能性が低くなる。本質的に、ユーザーエクスペリエンスの骨組みが作られ、消費者は利用可能な製品により集中できる。
【００３４】
特定の実施形態では、モジュール式分配装置１が現場に設置されるときに、氷ディスペンサーハウジング１４は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【００３５】
特定の実施形態では、後側４は後壁１５を含み、モジュール式分配装置が現場に設置されるときに、後壁１５は現場の壁と同じ又は類似の色である。更なる実施形態では、モジュール式分配装置１が現場に設置されるときに、氷ディスペンサーハウジング１４及び後壁１５は、現場の壁と同じ又は類似の色である。特定の実施形態では、モジュール式分配装置１が現場に設置されるときに、氷ディスペンサーハウジング１４及び後壁１５は一体型構造であり、現場の壁と同じ又は類似の色である。
【００３６】
１つ以上の実施形態では、モジュール式分配装置１が現場に設置されるときに、氷ディスペンサーハウジング１４及び後壁１５は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【００３７】
いくつかの実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁と同じ又は類似の色である。現場の壁は、特に限定されない。さまざまな実施形態では、現場の壁は、例えば、クロス／布地、木材、ドライウォール、コンクリート、レンガ、金属、石材、又はそれらの組み合わせから作製されてよい。
【００３８】
特定の実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【００３９】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素（すなわち、フレーム２）は、現場から離れた場所で建造され、目的の現場に移送されてから、残りのモジュール式分配装置１の構成要素と一緒に組み立てられてよい。
【００４０】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、フレーム２は、現場の壁を画定してよい。他の実施形態では、フレーム２及び現場の壁は、一体型構造である。いくつかの実施形態では、設置時に、フレーム２が現場の壁と一体化する。
【００４１】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【００４２】
氷ディスペンサー１３は、特定の氷分配機に限定されない。特定の実施形態では、氷ディスペンサー１３は氷貯蔵装置、氷製造装置、又はそれらの組み合わせを有する。例えば、いくつかの実施形態では、氷ディスペンサー１３は氷を貯蔵し、分配するが、氷を製造しない。他の実施形態では、氷ディスペンサー１３は氷を製造し、貯蔵し、分配する。特定の実施形態では、氷ディスペンサー１３は、氷貯蔵及び／又は分配装置の上部に積み上げられる製氷機を含む。
【００４３】
第１の飲料ディスペンサー１１と第２の飲料ディスペンサー１２との間に、氷ディスペンサーハウジング１４に囲まれた氷ディスペンサー１３を置くことによって、セミプライベートのユーザーエクスペリエンスを可能にし、利用可能な製品に対して消費者の注意を更に集中させる。さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りにはまり得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。いくつかの実施形態では、２つのハウジング側壁１９及び２０は後壁１５に取り付けられる。更なる実施形態では、２つのハウジング側壁１９及び２０並びに後壁１５は、一体型構造である。
【００４４】
第１の飲料ディスペンサー１１及び第２の飲料ディスペンサー１２は、特定のタイプの飲料ディスペンサーに限定されない。図１、２、７Ａ、７Ｂ、１２、及び１４は、１つ以上の実施形態による第１の飲料ディスペンサー１１及び第２の飲料ディスペンサー１２を示す。特定の実施形態では、第１の飲料ディスペンサー１１及び第２の飲料ディスペンサー１２は、１つ以上の飲料が分配され得る、１つ以上の分配ヘッド３８を有するタワーを含んでよい。第１の飲料ディスペンサー１１及び第２の飲料ディスペンサー１２は、ホット又はコールド飲料を分配し得る。さまざまな実施形態では、第１の飲料ディスペンサー１１及び第２の飲料ディスペンサー１２は、炭酸飲料、清涼飲料、ソーダ、コーラ、ジュース、茶、水、又はそれらの組み合わせを分配し得る。
【００４５】
特定の実施形態では、第１の飲料ディスペンサー１１及び／又は第２の飲料ディスペンサー１２は、１つ又は複数の分配ヘッド３８の下に位置付けられたドリップパン４０を有してよい。さまざまな実施形態では、第１の飲料ディスペンサー１１及び／又は第２の飲料ディスペンサー１２は、画面３９を更に含んでよく、その画面で消費者は、利用可能な製品及び消費者が注文した特定の飲料に関する情報を見ることができる。特定の実施形態では、画面３９は、消費者が、第１の飲料ディスペンサー１１及び／又は第２の飲料ディスペンサー１２を操作することを可能にするタッチスクリーンである。さまざまな実施形態では、第１の飲料ディスペンサー１１及び／又は第２の飲料ディスペンサー１２は、第１の飲料ディスペンサー１１及び／又は第２の飲料ディスペンサー１２に位置する広告、ロゴ、商標名、又は図案３６を更に有してよい。
【００４６】
第１の飲料ディスペンサー１１及び第２の飲料ディスペンサー１２は、ライトを更に有してよい。例えば、特定の実施形態では、第１の飲料ディスペンサー１１及び／又は第２の飲料ディスペンサー１２は、１つ若しくは２つ以上の分配ヘッド３８に隣接して、１つ若しくは２つ以上の分配ヘッド３８の上に、１つ若しくは２つ以上の分配ヘッド３８の下に、１つ若しくは２つ以上の分配ヘッド３８を囲んで、１つ若しくは２つ以上の分配ヘッド３８の中に、又はそれらの組み合わせで位置付けられたライトを有してよい。このようなライトは、何らの特定の種類のライトにも限定されない。
【００４７】
更なる実施形態では、モジュール式分配装置１は、第１の飲料ディスペンサー１１の前にいるユーザーの存在に基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、ジェスチャー検出器を更に含んでよい。
【００４８】
更なる実施形態では、モジュール式分配装置１は、第２の飲料ディスペンサー１２の前にいるユーザーの存在に基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。
【００４９】
第１の飲料ディスペンサー１１及び第２の飲料ディスペンサー１２は、任意の好適な分配テクノロジーを使用してよい。例えば、第１の飲料ディスペンサー１１及び第２の飲料ディスペンサー１２は、従来の清涼飲料水混合及び／又は分配機器並びに方法を使用してよい。混合及び／又は移動機器は、貯蔵エリア１７又は遠隔地に配置されてよい。例えば、混合及び／又は移動機器は、現場内部の部屋に配置されてよい。
【００５０】
図２は、別の実施形態によるモジュール式分配装置１を示す。モジュール式分配装置１は、第１の飲料ディスペンサー１１、第２の飲料ディスペンサー１２、及び氷ディスペンサー１３が上に配置されるカウンタートップ１８を有してよい。氷ディスペンサー１３は、第１の飲料ディスペンサー１１と第２の飲料ディスペンサー１２との間に位置付けられてよい。氷ディスペンサーハウジング１４は、氷ディスペンサー１３のほぼ全体を囲む。貯蔵エリア１７は、カウンタートップ１８の下に配置される。
【００５１】
貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ、等）、飲料成分、炭酸ガス、氷ディスペンサー機器、飲料ディスペンサー機器、冷却機器、ゴミ、又はそれらの組み合わせを収容するために使用されてよい。
【００５２】
氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。氷ディスペンサー１３に氷を入れられるように、氷ディスペンサーハウジング１４は蓋２７を有してよい。一体型ベゼル／ノズルカバー２４は、氷ディスペンサー１３の氷取り出し口２３を少なくとも部分的にカバーしてよい。氷ディスペンサーハウジング１４は、グラフィック処理、広告、ロゴ、商標名、又は図案３６のための窓２６を更に有してよい。氷ディスペンサー１３又は氷ディスペンサーハウジング１４の一部のいずれかから存在するレバー７４には、開口部２２を介してアクセスできる。
【００５３】
さまざまな実施形態では、カウンタートップ１８は第１のゴミ収容開口部４２（図２には表示なし。図１、８、９、１１Ａ、及び１４を参照のこと）及び第２のゴミ収容開口部４３（図２には表示なし。図１、８、９、１１Ａ、及び１４を参照のこと）を有してよい。特定の実施形態では、第１のゴミ収容開口部４２（図２には表示なし。図１、８、９、１１Ａ、及び１４を参照のこと）は、第１の飲料ディスペンサー１１に隣接して位置付けられ、第２のゴミ収容開口部４３（図２には表示なし。図１、８、９、１１Ａ、及び１４を参照のこと）は第２の飲料ディスペンサー１２に隣接して位置付けられ、第１の飲料ディスペンサー１１及び第２の飲料ディスペンサー１２の両方のユーザーがゴミを簡単かつ迅速に処分し、利用可能な製品に集中し、他のユーザーのエクスペリエンスの妨げにならないようにすることを可能にする。
【００５４】
いくつかの実施形態では、カウンタートップ１８は、第１の凹状ポケット（複数を含む）又は容器（複数を含む）４６（図２には表示なし。図１、８、９、１０Ｂ、１０Ｃ、１１Ａ、及び１４を参照のこと）及び第２の凹状ポケット（複数を含む）又は容器（複数を含む）４７（図２には表示なし。図１、８、９、１０Ｂ、１０Ｃ、１１Ａ、及び１４を参照のこと）を含んでよい。第１の凹状ポケット（複数を含む）又は容器（複数を含む）４６（図２には表示なし。図１、８、９、１０Ｂ、１０Ｃ、１１Ａ、及び１４を参照のこと）及び第２の凹状ポケット（複数を含む）又は容器（複数を含む）４７（図２には表示なし。図１、８、９、１０Ｂ、１０Ｃ、１１Ａ、及び１４を参照のこと）は、例えば、カウンタートップ１８の上面の下にストロー、蓋、又はカップを貯蔵及び／又は分配するために使用されてよい。第１の凹状ポケット（複数を含む）又は容器（複数を含む）４６（図２には表示なし。図１、８、９、１０Ｂ、１０Ｃ、１１Ａ、及び１４を参照のこと）及び第２の凹状ポケット（複数を含む）又は容器（複数を含む）４７（図２には表示なし。図１、８、９、１０Ｂ、１０Ｃ、１１Ａ、及び１４を参照のこと）は、散乱を軽減し、消費者の注意を利用可能な製品に更に集中させる。特定の実施形態では、第１の凹状ポケット（複数を含む）又は容器（複数を含む）４６（図２には表示なし。図１、８、９、１０Ｂ、１０Ｃ、１１Ａ、及び１４を参照のこと）は、第１の飲料ディスペンサー１１に隣接して位置付けられ、第２の凹状ポケット（複数を含む）又は容器（複数を含む）４７（図２には表示なし。図１、８、９、１０Ｂ、１０Ｃ、１１Ａ、及び１４を参照のこと）は第２の飲料ディスペンサー１２に隣接して位置付けられ、第１の飲料ディスペンサー１１及び第２の飲料ディスペンサー１２の両方のユーザーがストロー、蓋、カップ、又はそれらの組み合わせに簡単かつ迅速にアクセスし、利用可能な製品に集中し、他のユーザーのエクスペリエンスの妨げとならないようにすることを可能にする。
【００５５】
特定の実施形態では、氷ディスペンサーハウジング１４は第１のナプキンディスペンサー開口部４８（図２には表示なし。図１、８、９、１０Ａ、１１Ｂ、１２、及び１４を参照のこと）及び第２のナプキンディスペンサー開口部４９（図２には表示なし。図１、８、９、１０Ａ、１１Ｂ、１２、及び１４を参照のこと）を有してよい。いくつかの実施形態では、第１のナプキンディスペンサー開口部４８（図２には表示なし。図１、８、９、１０Ａ、１１Ｂ、１２、及び１４を参照のこと）は、第１の飲料ディスペンサー１１に隣接して位置付けられ、第２のナプキンディスペンサー開口部４９（図２には表示なし。図１、８、９、１０Ａ、１１Ｂ、１２、及び１４を参照のこと）は第２の飲料ディスペンサー１２に隣接して位置付けられ、第１の飲料ディスペンサー１１及び第２の飲料ディスペンサー１２の両方のユーザーがナプキンに簡単かつ迅速にアクセスし、利用可能な製品に集中し、他のユーザーのエクスペリエンスの妨げとならないようにすることを可能にする。ナプキンディスペンサー（図示なし）は、第１のナプキンディスペンサー開口部４８（図２には表示なし。図１、８、９、１０Ａ、１１Ｂ、１２、及び１４を参照のこと）及び第２のナプキンディスペンサー開口部４９（図２には表示なし。図１、８、９、１０Ａ、１１Ｂ、１２、及び１４を参照のこと）に隣接する、氷ディスペンサーハウジング１４の内部に配置されてよい。
【００５６】
さまざまな実施形態では、氷ディスペンサーハウジング１４は、氷ディスペンサー１３の氷取り出し口２３（すなわち、氷シュート又はノズル）をカバーしない。特定の実施形態では、氷ディスペンサーハウジング１４は、カウンタートップ１８に取り付けられる。他の実施形態では、氷ディスペンサーハウジング１４及びカウンタートップ１８は、一体型構造である。他の実施形態では、氷ディスペンサーハウジング１４、カウンタートップ１８、及び貯蔵エリア１７は、一体型構造である。更に他の実施形態では、モジュール式分配装置１が現場に設置されるときに、氷ディスペンサーハウジング１４、カウンタートップ１８、貯蔵エリア１７、又はそれらの組み合わせは、現場の壁に取り付けられる。特定の実施形態では、モジュール式分配装置１が現場に設置されるときに、氷ディスペンサーハウジング１４は、現場の壁に取り付けられる。更なる実施形態では、モジュール式分配装置１が現場に設置されるときに、カウンタートップ１８及び／又は貯蔵エリア１７は、現場の壁に取り付けられる。他の実施形態では、モジュール式分配装置１が現場に設置されるときに、氷ディスペンサーハウジング１４、カウンタートップ１８、及び貯蔵エリア１７は、現場の壁に取り付けられる。
【００５７】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【００５８】
カウンタートップ１８は、任意の好適な材料で構成されてよい。例示の材料としては、限定するものではないが、ステンレス鋼、アルミニウム、プラスチック、木材、及びそれらの組み合わせが挙げられる。いくつかの実施形態では、カウンタートップ１８はプラスチックで作製されてよい。他の実施形態では、カウンタートップ１８はステンレス鋼で作製されてよい。更なる実施形態では、カウンタートップ１８はアルミニウムで作製されてよい。更に他の実施形態では、カウンタートップ１８はステンレス鋼及びプラスチックである。なお更なる実施形態では、カウンタートップ１８はアルミニウム及びプラスチックである。
【００５９】
氷ディスペンサー１３の外観及びサイズを最小化し、消費者のエクスペリエンスを作るため、モジュール式分配装置１が現場に設置されるときに、氷ディスペンサーハウジング１４は、現場の壁と同じ又は類似の色であってよい。氷ディスペンサーハウジング１４の色を合わせることにより、氷ディスペンサー１３は現場の壁と本質的に調和する。氷ディスペンサーハウジング１４が現場の壁と調和していると、消費者は利用可能な製品及びブランド情報に集中する。更に、氷ディスペンサーハウジング１４が現場の壁と同じ又は類似の色である場合、現場及び機器の混乱によって消費者の気が散る可能性が低くなる。本質的に、消費者は利用可能な製品により集中できる。
【００６０】
いくつかの実施形態では、モジュール式分配装置１が現場に設置されるときに、氷ディスペンサーハウジング１４は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【００６１】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素は、現場から離れた場所で建造され、目的の現場に移送されてから、残りのモジュール式分配装置１の構成要素と一緒に組み立てられる。
【００６２】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、モジュール式分配装置１は、現場の壁を画定してよい。他の実施形態では、モジュール式分配装置１及び現場の壁は、一体型構造である。いくつかの実施形態では、設置時に、モジュール式分配装置１が現場の壁と一体化する。
【００６３】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【００６４】
氷ディスペンサー１３は、特定の氷分配機に限定されない。特定の実施形態では、氷ディスペンサー１３は氷貯蔵装置、氷製造装置、又はそれらの組み合わせを有する。例えば、いくつかの実施形態では、氷ディスペンサー１３は氷を貯蔵し、分配するが、氷を製造しない。他の実施形態では、氷ディスペンサー１３は氷を製造し、貯蔵し、分配する。特定の実施形態では、氷ディスペンサー１３は、氷貯蔵及び／又は分配装置の上部に積み上げられる製氷機を含む。
【００６５】
第１の飲料ディスペンサー１１と第２の飲料ディスペンサー１２との間に、氷ディスペンサーハウジング１４に囲まれた氷ディスペンサー１３を置くことによって、セミプライベートのユーザーエクスペリエンスを可能にし、利用可能な製品に対して消費者の注意を更に集中させる。さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りに適合し得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。
【００６６】
第１の飲料ディスペンサー１１及び第２の飲料ディスペンサー１２は、特定のタイプの飲料ディスペンサーに限定されない。図１、２、７Ａ、７Ｂ、１２、及び１４は、１つ以上の実施形態による第１の飲料ディスペンサー１１及び第２の飲料ディスペンサー１２を示す。特定の実施形態では、第１の飲料ディスペンサー１１及び第２の飲料ディスペンサー１２は、１つ以上の飲料が分配され得る、１つ以上の分配ヘッド３８を有するタワーを含んでよい。第１の飲料ディスペンサー１１及び第２の飲料ディスペンサー１２は、ホット又はコールド飲料を分配し得る。さまざまな実施形態では、第１の飲料ディスペンサー１１及び第２の飲料ディスペンサー１２は、炭酸飲料、清涼飲料、ソーダ、コーラ、ジュース、茶、水、又はそれらの組み合わせを分配し得る。
【００６７】
特定の実施形態では、第１の飲料ディスペンサー１１及び／又は第２の飲料ディスペンサー１２は、１つ又は複数の分配ヘッド３８の下に位置付けられたドリップパン４０を有してよい。さまざまな実施形態では、第１の飲料ディスペンサー１１及び／又は第２の飲料ディスペンサー１２は、画面３９を更に含んでよく、その画面で消費者は、利用可能な製品及び消費者が注文した特定の飲料に関する情報を見ることができる。特定の実施形態では、画面３９は、消費者が、第１の飲料ディスペンサー１１及び／又は第２の飲料ディスペンサー１２を操作することを可能にするタッチスクリーンである。さまざまな実施形態では、第１の飲料ディスペンサー１１及び／又は第２の飲料ディスペンサー１２は、第１の飲料ディスペンサー１１及び／又は第２の飲料ディスペンサー１２に位置する広告、ロゴ、商標名、又は図案３６を更に有してよい。
【００６８】
第１の飲料ディスペンサー１１及び第２の飲料ディスペンサー１２は、ライトを更に有してよい。例えば、特定の実施形態では、第１の飲料ディスペンサー１１及び／又は第２の飲料ディスペンサー１２は、１つ若しくは２つ以上の分配ヘッド３８に隣接して、１つ若しくは２つ以上の分配ヘッド３８の上に、１つ若しくは２つ以上の分配ヘッド３８の下に、１つ若しくは２つ以上の分配ヘッド３８を囲んで、１つ若しくは２つ以上の分配ヘッド３８の中に、又はそれらの組み合わせで位置付けられたライトを有してよい。このようなライトは、何らの特定の種類のライトにも限定されない。
【００６９】
更なる実施形態では、モジュール式分配装置１は、第１の飲料ディスペンサー１１の前にいるユーザーの存在に基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、ジェスチャー検出器を更に含んでよい。
【００７０】
更なる実施形態では、モジュール式分配装置１は、第２の飲料ディスペンサー１２の前にいるユーザーの存在に基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。
【００７１】
第１の飲料ディスペンサー１１及び第２の飲料ディスペンサー１２は、任意の好適な分配テクノロジーを使用してよい。例えば、第１の飲料ディスペンサー１１及び第２の飲料ディスペンサー１２は、従来の清涼飲料水混合及び／又は分配機器並びに方法を使用してよい。混合及び／又は移動機器は、貯蔵エリア１７又は遠隔地に配置されてよい。例えば、混合及び／又は移動機器は、現場内部の部屋に配置されてよい。
【００７２】
さまざまな実施形態では、モジュール式分配装置１は、モジュール式分配装置１の上に又は隣接して配置された広告、ロゴ、商標名、又は図案３６を更に有してよい。例えば、広告、ロゴ、商標名、又は図案３６は、カウンタートップ１８、貯蔵エリア１７、第１の飲料ディスペンサー１１、第２の飲料ディスペンサー１２、氷ディスペンサーハウジング１４、又はそれらの組み合わせの上に又は隣接して配置されてよい。
【００７３】
図３は、特定の実施形態による氷ディスペンサーハウジング１４を示す。氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。氷ディスペンサー１３に氷を入れられるように、氷ディスペンサーハウジング１４は蓋２７を有してよい。一体型ベゼル／ノズルカバー２４は、氷ディスペンサー１３の氷取り出し口２３を少なくとも部分的にカバーしてよい。２つのハウジング側壁１９及び２０、並びに前壁２１は、氷ディスペンサー１３のドリップトレイ２５の床面まで及んでよい。氷ディスペンサーハウジング１４は、グラフィック処理、広告、ロゴ、商標名、又は図案３６のための窓２６を更に有してよい。氷ディスペンサー１３又は氷ディスペンサーハウジング１４の一部のいずれかから存在するレバー７４には、開口部２２を介してアクセスできる。
【００７４】
さまざまな実施形態では、氷ディスペンサーハウジング１４は、氷ディスペンサーハウジング３６の上に又は隣接して配置された広告、ロゴ、商標名、又は図案１４を更に有してよい。例えば、広告、ロゴ、商標名、又は図案３６は、２つのハウジング側壁１９又は２０、蓋２７、前壁２１、又はそれらの組み合わせの上に又は隣接して配置されてよい。
【００７５】
図４は、１つ以上の実施形態による氷ディスペンサーハウジング１４の分解図を示す。氷ディスペンサーハウジング１４は、単一構造であり、後部壁３５並びに２つのハウジング側壁１９及び２０を含むバックラップ（back wrap）２８を有してよい。前壁２１は、開口部２２を有してよい。氷ディスペンサー１３（図４には表示なし。図１〜３、５、６Ａ、及び１２〜１４を参照のこと）に氷を入れられるように、蓋２７が存在してよい。面板２９は、氷ディスペンサー１３の前面（図４に表示なし。図１〜３、５、６Ａ、及び１２〜１４を参照のこと）を少なくとも部分的にカバーし、開口部２２を通して可視及びアクセス可能であってよい。面板２９は、氷ディスペンサー１３の氷取り出し口２３（図４に表示なし。図１〜３、５、６Ａ、及び１２〜１４を参照のこと）へのアクセスを可能にし得る。面板タブ３０は、前壁２１の裏側に取り付けられ得る。氷ディスペンサー１３の既存のドリップトレイ２５（図４に表示なし。図１〜３、５、６Ａ、及び１２〜１４を参照のこと）は、開口部２２を介してアクセス可能であってよい。他の実施形態では、氷ディスペンサーハウジング１４は、氷ディスペンサー１３の既存のドリップトレイ２５（図４に表示なし。図１〜３、５、６Ａ、及び１２〜１４を参照のこと）を置換又はカバーする、ドリップトレイ２５を有する。側壁タブ３１及び３２は、バックラップ２８の裏側に取り付けられ得る。既存の氷ディスペンサークリート３３及び３４（すなわち、スチールクリート）は、前壁２１の内表面に実装し得る。氷ディスペンサー１３（図４に表示なし。図１〜３、５、６Ａ、及び１２〜１４を参照のこと）又は氷ディスペンサーハウジング１４の一部のいずれかから存在するレバー７４には、は、開口部２２を介してアクセス可能である。
【００７６】
任意の好適な取り付け機構は、面板タブ３０並びに側壁タブ３１及び３２とともに使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【００７７】
図５は、特定の実施形態による氷ディスペンサーハウジング１４を示す。氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。氷ディスペンサー１３に氷を入れられるように、氷ディスペンサーハウジング１４は蓋２７を有してよい。一体型ベゼル／ノズルカバー２４は、氷ディスペンサー１３の氷取り出し口２３を少なくとも部分的にカバーしてよい。氷ディスペンサーハウジング１４は、グラフィック処理、広告、ロゴ、商標名、又は図案３６のための窓２６を更に有してよい。氷ディスペンサー１３又は氷ディスペンサーハウジング１４の一部のいずれかから存在するレバー７４には、開口部２２を介してアクセスできる。
【００７８】
２つのハウジング側壁１９及び２０、並びに前壁２１は、一体型構造、単一構造、又はそれらの組み合わせであってよい。特定の実施形態では、蓋２７、２つのハウジング側壁１９及び２０、並びに前壁２１は、同じ又は類似の色であってよい。さまざまな実施形態では、モジュール式分配装置１が現場に設置されるときに、蓋２７、２つのハウジング側壁１９及び２０、並びに前壁２１は、現場の壁と同じ又は類似の色である。前壁２１は、ロゴ、商標名、又は図案３６を更に含んでよい。
【００７９】
特定の実施形態では、２つのハウジング側壁１９及び２０、並びに前壁２１は、同じ材料で作製される。例えば、いくつかの実施形態では、２つのハウジング側壁１９及び２０、並びに前壁２１は、プラスチックで作製される。他の実施形態では、２つのハウジング側壁１９及び２０、並びに前壁２１は、異なる材料で作製される。例えば、特定の実施形態では、２つのハウジング側壁１９及び２０は、ステンレス鋼で作製され、前壁２１はプラスチックで作製される。いくつかの実施形態では、２つのハウジング側壁１９及び２０は、塗装されたステンレス鋼で作製され、前壁２１はプラスチックで作製される。
【００８０】
いくつかの実施形態では、氷ディスペンサーハウジング１４は、氷ディスペンサー１３の前面を少なくとも部分的にカバーする面板２９を有し、開口部２２を通して可視及びアクセス可能であってよい。特定の実施形態では、面板２９は、２つのハウジング側壁１９及び２０、並びに前壁２１と同じ又は類似の色であってよい。他の実施形態では、面板２９は、２つのハウジング側壁１９及び２０、並びに前壁２１と異なる色であってよい。
【００８１】
特定の実施形態では、氷ディスペンサーハウジング１４の配向された内表面３７は、２つのハウジング側壁１９及び２０、並びに前壁２１と同じ又は類似の色であってよい。他の実施形態では、配向された内表面３７は、２つのハウジング側壁１９及び２０、並びに前壁２１と異なる色であってよい。いくつかの実施形態では、配向された内表面３７は、面板２９と同じ又は類似の色であってよい。他の実施形態では、配向された内表面３７は、面板２９と異なる色であってよい。
【００８２】
氷ディスペンサー１３の既存のドリップトレイ２５（図５には表示なし。図３及び４を参照のこと）は、開口部２２を通してアクセス可能であってよい。他の実施形態では、氷ディスペンサーハウジング１４は、氷ディスペンサー１３の既存のドリップトレイ２５（図５には表示なし。図３及び４を参照のこと）を置換又はカバーする、ドリップトレイ２５（図５には表示なし。図３及び４を参照のこと）を有する。いくつかの実施形態では、氷ディスペンサーハウジング３のドリップトレイ２５（図５には表示なし。図３及び４を参照のこと）は、２つのハウジング側壁１９及び２０、並びに前壁２１と同じ又は類似の色であってよい。他の実施形態では、ドリップトレイ２５（図５には表示なし。図３及び４を参照のこと）は、２つのハウジング側壁１９及び２０、並びに前壁２１と異なる色であってよい。いくつかの実施形態では、ドリップトレイ２５（図５には表示なし。図３及び４を参照のこと）は、面板２９と同じ又は類似の色であってよい。他の実施形態では、ドリップトレイ２５（図５には表示なし。図３及び４を参照のこと）は、面板２９と異なる色であってよい。
【００８３】
図６Ａは、１つ以上の実施形態による氷ディスペンサーハウジング１４の正面図を示す。図６Ｂは、１つ以上の実施形態による氷ディスペンサーハウジング１４の側面図を示す。氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。氷ディスペンサー１３に氷を入れられるように、氷ディスペンサーハウジング１４は蓋２７を有してよい。一体型ベゼル／ノズルカバー２４は、氷ディスペンサー１３の氷取り出し口２３を少なくとも部分的にカバーしてよい。氷ディスペンサーハウジング１４は、グラフィック処理、広告、ロゴ、商標名、又は図案３６のための窓２６を更に有してよい。氷ディスペンサー１３又は氷ディスペンサーハウジング１４の一部のいずれかから存在するレバー７４には、開口部２２を介してアクセスできる。
【００８４】
さまざまな実施形態では、氷ディスペンサーハウジング１４は、氷ディスペンサーハウジング１４の上に又は隣接して配置された広告、ロゴ、商標名、又は図案３６を更に有してよい。例えば、広告、ロゴ、商標名、又は図案３６は、２つのハウジング側壁１９若しくは２０、前壁２１、又はそれらの組み合わせの上に又は隣接して配置されてよい。
【００８５】
さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りにぴったりはまり得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。
【００８６】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【００８７】
第１の飲料ディスペンサー１１及び第２の飲料ディスペンサー１２は、特定のタイプの飲料ディスペンサーに限定されない。図１、２、７Ａ、７Ｂ、１２、及び１４は、１つ以上の実施形態による第１の飲料ディスペンサー１１及び第２の飲料ディスペンサー１２を示す。図７Ａは、１つ以上の実施形態による第１の飲料ディスペンサー１１の正面図を示す。図７Ｂは、１つ以上の実施形態による第１の飲料ディスペンサー１１の側面図を示す。特定の実施形態では、第１の飲料ディスペンサー１１及び第２の飲料ディスペンサー１２は、１つ以上の飲料が分配され得る、１つ以上の分配ヘッド３８を有するタワーを含んでよい。第１の飲料ディスペンサー１１及び第２の飲料ディスペンサー１２は、ホット又はコールド飲料を分配し得る。さまざまな実施形態では、第１の飲料ディスペンサー１１及び第２の飲料ディスペンサー１２は、炭酸飲料、清涼飲料、ソーダ、コーラ、ジュース、茶、水、又はそれらの組み合わせを分配し得る。
【００８８】
特定の実施形態では、第１の飲料ディスペンサー１１及び／又は第２の飲料ディスペンサー１２は、１つ又は複数の分配ヘッド３８の下に位置付けられたドリップパン４０を有してよい。さまざまな実施形態では、第１の飲料ディスペンサー１１及び／又は第２の飲料ディスペンサー１２は、画面３９を更に含んでよく、その画面で消費者は、利用可能な製品及び消費者が注文した特定の飲料に関する情報を見ることができる。特定の実施形態では、画面３９は、消費者が、第１の飲料ディスペンサー１１及び／又は第２の飲料ディスペンサー１２を操作することを可能にするタッチスクリーンである。さまざまな実施形態では、第１の飲料ディスペンサー１１及び／又は第２の飲料ディスペンサー１２は、第１の飲料ディスペンサー１１及び／又は第２の飲料ディスペンサー１２に位置する広告、ロゴ、商標名、又は図案３６を更に有してよい。
【００８９】
第１の飲料ディスペンサー１１及び第２の飲料ディスペンサー１２は、ライトを更に有してよい。例えば、特定の実施形態では、第１の飲料ディスペンサー１１及び／又は第２の飲料ディスペンサー１２は、１つ若しくは２つ以上の分配ヘッド３８に隣接して、１つ若しくは２つ以上の分配ヘッド３８の上に、１つ若しくは２つ以上の分配ヘッド３８の下に、１つ若しくは２つ以上の分配ヘッド３８を囲んで、１つ若しくは２つ以上の分配ヘッド３８の中に、又はそれらの組み合わせで位置付けられたライトを有してよい。このようなライトは、何らの特定の種類のライトにも限定されない。
【００９０】
更なる実施形態では、モジュール式分配装置１は、第１の飲料ディスペンサー１１の前にいるユーザーの存在に基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、ジェスチャー検出器を更に含んでよい。
【００９１】
更なる実施形態では、モジュール式分配装置１は、第２の飲料ディスペンサー１２の前にいるユーザーの存在に基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。
【００９２】
第１の飲料ディスペンサー１１及び第２の飲料ディスペンサー１２は、任意の好適な分配テクノロジーを使用してよい。例えば、第１の飲料ディスペンサー１１及び第２の飲料ディスペンサー１２は、従来の清涼飲料水混合及び／又は分配機器並びに方法を使用してよい。混合及び／又は移動機器は、貯蔵エリア１７又は遠隔地に配置されてよい。例えば、混合及び／又は移動機器は、現場内部の部屋に配置されてよい。
【００９３】
図８は、１つ以上の実施形態による、第１の飲料ディスペンサー１１（図８には表示なし。図１、１２、及び１４を参照のこと）、第２の飲料ディスペンサー１２（図８には表示なし。図１、１２、及び１４を参照のこと）、及び氷ディスペンサー１３（図８には表示なし。図１〜３、５、６Ａ、及び１２〜１４を参照のこと）がモジュール式分配装置１に位置付けられる前の、モジュール式分配装置１を示す。モジュール式分配装置１は、前側３、後側４、２つの側壁５及び６、上壁７、中間壁８、並びに底壁４１を有する、フレーム２を有する。第１のエンクレーブ９及び第２のエンクレーブ１０は、フレーム２内に位置している。氷ディスペンサーハウジング１４は、第１のエンクレーブ９と第２のエンクレーブ１０との間に位置付けられる。モジュール式分配装置１を構成した又は組み立てた後、氷ディスペンサー１３（図８には表示なし。図１〜３、５、６Ａ、及び１２〜１４を参照のこと）は、第１のエンクレーブ９と第２のエンクレーブ１０との間の氷ディスペンサーハウジング１４内に位置付けられ、それにより、氷ディスペンサーハウジング１４は、氷ディスペンサー１３（図８には表示なし。図１〜３、５、６Ａ、及び１２〜１４を参照のこと）のほぼ全体を囲む。氷ディスペンサーハウジング１４は、２つのハウジング側壁１９及び２０、並びに前壁２１を有し、前壁２１は、氷ディスペンサー１３（図８には表示なし。図１〜３、５、６Ａ、及び１２〜１４を参照のこと）へのアクセスを可能にする開口部２２を有する。
【００９４】
さまざまな実施形態では、中間壁８は、第１のゴミ収容開口部４２及び第２のゴミ収容開口部４３を有してよい。特定の実施形態では、第１のゴミ収容開口部４２は、第１の飲料ディスペンサー１１（図８には表示なし。図１、１２、及び１４を参照のこと）に隣接して位置付けられ、第２のゴミ収容開口部４３は、第２の飲料ディスペンサー１２（図８には表示なし。図１、１２、及び１４を参照のこと）に隣接して位置付けられ、第１の飲料ディスペンサー１１（図８には表示なし。図１、１２、及び１４を参照のこと）及び第２の飲料ディスペンサー１２（図８には表示なし。図１、１２、及び１４を参照のこと）の両方のユーザーがゴミを簡単かつ迅速に処分し、利用可能な製品に集中し、他のユーザーのエクスペリエンスの妨げとならないようにすることを可能にする。
【００９５】
中間壁８は、第１の飲料ディスペンサー開口部４４を有してよく、その上に第１の飲料ディスペンサー１１（図８には表示なし。図１、１２、及び１４を参照のこと）が位置付けられてよい。飲料分配機器、混合機器、移動機器、電気コード、チュービング、パイピング、及びそれらの組み合わせは、例えば、第１の飲料ディスペンサー１１（図８には表示なし。図１、１２、及び１４を参照のこと）から、第１の飲料ディスペンサー開口部４４を通って、中間壁８の下の位置（すなわち、貯蔵エリア１７）、モジュール式分配装置１のすぐ外側の位置、遠隔地（すなわち、現地内部の部屋）、又はそれらの組み合わせへと伸び得る。
【００９６】
中間壁８は、第２の飲料ディスペンサー開口部４５を有してよく、その上に第２の飲料ディスペンサー１２（図８には表示なし。図１、１２、及び１４を参照のこと）が位置付けられる。飲料分配機器、混合機器、移動機器、電気コード、チュービング、パイピング、及びそれらの組み合わせは、例えば、第２の飲料ディスペンサー１２（図８には表示なし。図１、１２、及び１４を参照のこと）から、第２の飲料ディスペンサー開口部４５を通って、中間壁８の下の場所（すなわち、貯蔵エリア１７）、モジュール式分配装置１のすぐ外側の場所、遠隔地（すなわち、現場内部の部屋）、又はそれらの組み合わせまで及んでよい。
【００９７】
中間壁８は、第１の凹状ポケット（複数を含む）又は容器（複数を含む）４６及び第２の凹状ポケット（複数を含む）又は容器（複数を含む）４７を含んでよい。第１の凹状ポケット（複数を含む）又は容器（複数を含む）４６及び第２の凹状ポケット（複数を含む）又は容器（複数を含む）４７は、例えば、中間壁８の上面の下にストロー、蓋、又はカップを貯蔵及び／又は分配するために使用されてよい。第１の凹状ポケット（複数を含む）又は容器（複数を含む）４６及び第２の凹状ポケット（複数を含む）又は容器（複数を含む）４７は、散乱を軽減し、利用可能な製品に対する消費者の注意を更に集中させる。特定の実施形態では、第１の凹状ポケット（複数を含む）又は容器（複数を含む）４６は、第１の飲料ディスペンサー１１（図８には表示なし。図１、１２、及び１４を参照のこと）に隣接して位置付けられ、第２の凹状ポケット（複数を含む）又は容器（複数を含む）４７は、第２の飲料ディスペンサー１２（図８には表示なし。図１、１２、及び１４を参照のこと）に隣接して位置付けられ、第１の飲料ディスペンサー１１（図８には表示なし。図１、１２、及び１４を参照のこと）及び第２の飲料ディスペンサー１２（図８には表示なし。図１、１２、及び１４を参照のこと）の両方のユーザーがストロー、蓋、カップ、又はそれらの組み合わせに簡単かつ迅速にアクセスし、利用可能な製品に集中し、他のユーザーのエクスペリエンスの妨げとならないようにすることを可能にする。
【００９８】
特定の実施形態では、氷ディスペンサーハウジング１４は、第１のナプキンディスペンサー開口部４８及び第２のナプキンディスペンサー開口部４９を有してよい。いくつかの実施形態では、第１のナプキンディスペンサー開口部４８は、第１の飲料ディスペンサー１１（図８には表示なし。図１、１２、及び１４を参照のこと）に隣接して位置付けられ、第２のナプキンディスペンサー開口部４９は、第２の飲料ディスペンサー１２（図８には表示なし。図１、１２、及び１４を参照のこと）に隣接して位置付けられ、第１の飲料ディスペンサー１１（図８には表示なし。図１、１２、及び１４を参照のこと）及び第２の飲料ディスペンサー１２（図８には表示なし。図１、１２、及び１４を参照のこと）の両方のユーザーがナプキンに簡単かつ迅速にアクセスし、利用可能な製品に集中し、他のユーザーのエクスペリエンスの妨げとならないようにすることを可能にする。ナプキンディスペンサー（図示なし）は、第１のナプキンディスペンサー開口部４８及び第２のナプキンディスペンサー開口部４９に隣接する、氷ディスペンサーハウジング１４の内側に配置されてよい。
【００９９】
前側３、後側４、２つの側壁５及び６、上壁７、中間壁８、並びに底壁４１を含むフレーム２と、氷ディスペンサーハウジング１４とは、任意の好適な材料で構成されてよい。例示の材料としては、限定するものではないが、ステンレス鋼、アルミニウム、プラスチック、木材、及びそれらの組み合わせが挙げられる。いくつかの実施形態では、フレーム２及び／又は氷ディスペンサーハウジング１４の全体がプラスチックで作製されてよい。他の実施形態では、フレーム２及び／又は氷ディスペンサーハウジング１４の全体がステンレス鋼で作製されてよい。更なる実施形態では、フレーム２及び／又は氷ディスペンサーハウジング１４の全体がアルミニウムで作製されてよい。またその他の実施形態では、中間壁８がステンレス鋼であり、フレーム２及び／又は氷ディスペンサーハウジング１４の残部はプラスチックである。なお更なる実施形態では、中間壁８がアルミニウムであり、フレーム２及び／又は氷ディスペンサーハウジング１４の残部はプラスチックである。特定の実施形態では、フレーム２及び／又は氷ディスペンサーハウジング１４は、ステンレス鋼、アルミニウム、及びプラスチックで作製されてよい。
【０１００】
モジュール式分配装置１の底壁４１、中間壁８、２つの側壁５及び６、上壁７、並びに氷ディスペンサーハウジング１４は、一体型構造、単一構造、又はそれらの組み合わせであってよい。特定の実施形態では、モジュール式分配装置１の底壁４１、中間壁８、２つの側壁５及び６、並びに上壁７は、一体型構造である。更なる実施形態では、モジュール式分配装置１の底壁４１、中間壁８、２つの側壁５及び６、上壁７、並びに  氷ディスペンサーハウジング１４は、一体型構造である。いくつかの実施形態では、モジュール式分配装置１の中間壁８、２つの側壁５及び６、並びに上壁７は、一体型構造である。他の実施形態では、モジュール式分配装置１の底壁４１、中間壁８、２つの側壁５及び６、上壁７、並びに氷ディスペンサーハウジング１４は、単一構造である。更なる実施形態では、他の構成要素が単一構造である一方、フレーム２構成要素のいくつかは一体型構造であってよい。例えば、上壁７が単一構造である一方、モジュール式分配装置１の中間壁８、並びに２つの側壁５及び６は一体型構造であってよい。他の実施形態では、中間壁８が単一構造である一方、モジュール式分配装置１の上壁７並びに２つの側壁５及び６は一体型構造であってよい。特定の実施形態では、中間壁８、２つの側壁５及び６、上壁７、並びに氷ディスペンサーハウジング１４は、一体型構造である。さまざまな実施形態では、氷ディスペンサーハウジング１４は、一体型構造の中間壁８、２つの側壁５及び６、並びに上壁７を含むフレーム２に設置され得る、組み立て式の装置である。他の実施形態では、氷ディスペンサーハウジング１４は、単一構造の中間壁８、２つの側壁５及び６、並びに上壁７を含むフレーム２に設置され得る、組み立て式の装置である。
【０１０１】
特定の実施形態では、モジュール式分配装置１は、中間壁８の下に位置する貯蔵エリア１７を有する。貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ等）、飲料成分、炭酸ガス、氷ディスペンサー機器、飲料ディスペンサー機器、冷却機器、ゴミ、又はそれらの組み合わせを収容するために使用されてよい。
【０１０２】
さまざまな実施形態では、後側４は後壁１５を含む。モジュール式分配装置１のバックウォール１５、底壁４１、貯蔵エリア１７、中間壁８、２つの側壁５及び６、上壁７、並びに氷ディスペンサーハウジング１４は、一体型構造、単一構造、又はそれらの組み合わせであってよい。特定の実施形態では、モジュール式分配装置１のさまざまな個々の構成要素（すなわち、後壁１５、底壁４１、中間壁８、２つの側壁５及び６、上壁７、貯蔵エリア１７、並びに氷ディスペンサーハウジング１４）は、副構成要素で作製されてよい。例えば、いくつかの実施形態では、上壁７は、２つ以上の副上壁構成要素を含んでよい。他の実施形態では、後壁１５は、２つ以上の副後壁構成要素を含んでよい。更なる実施形態では、底壁４１は、２つ以上の副底壁構成要素を含んでよい。特定の実施形態では、中間壁８は、２つ以上の副中間壁構成要素を含んでよい。他の実施形態では、２つの側壁５及び６は、２つ以上の副側壁構成要素を含んでよい。更なる実施形態では、貯蔵エリア１７は、２つ以上の副貯蔵エリア構成要素を含んでよい。なお他の実施形態では、氷ディスペンサーハウジング１４は、２つ以上の副氷ディスペンサーハウジング構成要素を含んでよい。
【０１０３】
１つ以上の実施形態では、モジュール式分配装置１の底壁４１、貯蔵エリア１７、後壁１５、中間壁８、２つの側壁５及び６、並びに上壁７は、一体型構造である。特定の実施形態では、モジュール式分配装置１の後壁１５、中間壁８、２つの側壁５及び６、並びに上壁７は、一体型構造である。他の実施形態では、モジュール式分配装置１の底壁４１、貯蔵エリア１７、後壁１５、中間壁８、２つの側壁５及び６、並びに上壁７は、単一構造である。更なる実施形態では、他の構成要素が単一構造である一方、フレーム２構成要素のいくつかは一体型構造であってよい。例えば、上壁７が単一構造である一方、モジュール式分配装置１の後壁１５、中間壁８、並びに２つの側壁５及び６は一体型構造であってよい。他の実施形態では、中間壁８が単一構造である一方、モジュール式分配装置１の後壁１５、上壁７、並びに２つの側壁５及び６は一体型構造であってよい。更なる実施形態では、後壁１５が単一構造である一方、モジュール式分配装置１の中間壁８、２つの側壁５及び６、並びに上壁７は、一体型構造である。なお更なる実施形態では、２つの側壁５及び６が単一構造である一方、後壁１５、中間壁８、及び上壁７は一体型構造である。
【０１０４】
いくつかの実施形態では、上壁７は、第１の飲料ディスペンサー１１（図８には表示なし。図１、１２、及び１４を参照のこと）の上に位置する第１のスポットライト６８（図８には表示なし。図１４を参照のこと）と、第２の飲料ディスペンサー１２（図８には表示なし。図１、１２、及び１４を参照のこと）の上に位置する第２のスポットライト６９（図８には表示なし。図１４を参照のこと）と、を更に含んでよい。特定の実施形態では、第１のスポットライト６８（図８には表示なし。図１４を参照のこと）及び第２のスポットライト６９（図８には表示なし。図１４を参照のこと）は、上壁７に凹設される。第１のスポットライト６８（図８には表示なし。図１４を参照のこと）及び第２のスポットライト６９（図１には表示なし。図１４を参照のこと）は、何らの特定の種類のライトにも限定されない。
【０１０５】
更なる実施形態では、モジュール式分配装置１は、第１の飲料ディスペンサー１１（図８には表示なし。図１、１２、及び１４を参照のこと）の前にいるユーザーの存在に基づいて、第１の飲料ディスペンサー１１（図８には表示なし。図１、１２、及び１４を参照のこと）の上にある第１のスポットライト６８（図８には表示なし。図１４を参照のこと）を起動させる、動き検出器を更に含んでよい。他の実施形態では、モジュール式分配装置１は、第１の飲料ディスペンサー１１（図８には表示なし。図１、１２、及び１４を参照のこと）の前にいるユーザーによる１つ以上のジェスチャーに基づいて、第１の飲料ディスペンサー１１（図８には表示なし。図１、１２、及び１４を参照のこと）の上にある第１のスポットライト６８（図８には表示なし。図１４を参照のこと）を起動させる、ジェスチャー検出器を更に含んでよい。
【０１０６】
いくつかの実施形態では、モジュール式分配装置１は、第２の飲料ディスペンサー１２（図８には表示なし。図１、１２、及び１４を参照のこと）の前にいるユーザーの存在に基づいて、第２の飲料ディスペンサー１２（図８には表示なし。図１、１２、及び１４を参照のこと）の上にある第２のスポットライト６９（図８には表示なし。図１４を参照のこと）を起動させる、動き検出器を更に含んでよい。他の実施形態では、モジュール式分配装置１は、第２の飲料ディスペンサー１２（図８には表示なし。図１、１２、及び１４を参照のこと）の前にいるユーザーによる１つ以上のジェスチャーに基づいて、第２の飲料ディスペンサー１２（図８には表示なし。図１、１２、及び１４を参照のこと）の上にある第２のスポットライト６９（図８には表示なし。図１４を参照のこと）を起動させる、ジェスチャー検出器を更に含んでよい。
【０１０７】
特定の実施形態では、モジュール式分配装置１は、上壁７、並びに／又は側壁５及び／若しくは６を介して、前側３に取り付けられた、又は接続された前面パネル１６（図８には表示なし。図１を参照のこと）を更に含んでよい。モジュール式分配装置１の中間壁８、２つの側壁５及び６、上壁７、並びに前面パネル１６（図８には表示なし。図１を参照のこと）は、一体型構造、単一構造、又はそれらの組み合わせであってよい。
【０１０８】
さまざまな実施形態では、モジュール式分配装置１は、モジュール式分配装置１上に又は隣接して配置された広告、ロゴ、商標名、又は図案３６（図１には表示なし。図２、３、５、６Ａ、７Ａ、７Ｂ、１３、及び１４を参照のこと）を更に有してよい。例えば、広告、ロゴ、商標名、又は図案３６（図８には表示なし。図２、３、５、６Ａ、７Ａ、７Ｂ、１３、及び１４を参照のこと）は、底壁４１、前側３、後側４、後壁１５、側壁５及び／又は６、上壁７、中間壁８、前面パネル１６（図８には表示なし。図１を参照のこと）、貯蔵エリア１７、氷ディスペンサーハウジング１４、又はそれらの組み合わせの上に又は隣接して配置されてよい。
【０１０９】
ベース部７５は、底壁４１の下に位置付けられてよい。さまざまな実施形態では、ベース部７５及び底壁４１は、一体型構造又は単一構造であってよい。いくつかの実施形態では、ベース部７５は、底壁４１に取り付けられる。他の実施形態では、ベース部７５及び底壁４１は、一体型構造である。特定の実施形態では、ベース部７５は、現場の床に取り付けられてよい。ベース部７５の例としては、限定されるものではないが、プラットフォーム、ホイール、キャスター、脚、ペグ、ブロック、又はそれらの組み合わせが挙げられる。
【０１１０】
さまざまな実施形態では、氷ディスペンサーハウジング１４は、氷ディスペンサー１３（図８には表示なし。図１〜３、５、６Ａ、及び１２〜１４を参照のこと）に取り付けられない。特定の実施形態では、氷ディスペンサーハウジング１４は、後側４、後壁１５、中間壁８、２つの側壁５及び／又は６、上壁７、又はそれらの組み合わせに取り付けられる。いくつかの実施形態では、氷ディスペンサーハウジング１４は、後側４に取り付けられる。他の実施形態では、氷ディスペンサーハウジング１４は、後壁１５に取り付けられる。更なる実施形態では、氷ディスペンサーハウジング１４は、中間壁８に取り付けられる。なお他の実施形態では、氷ディスペンサーハウジング１４は、２つの側壁５及び６に取り付けられる。なお更なる実施形態では、氷ディスペンサーハウジング１４は、上壁７に取り付けられる。他の実施形態では、モジュール式分配装置１が現場に設置されるときに、氷ディスペンサーハウジング１４は現場の壁に取り付けられる。
【０１１１】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【０１１２】
氷ディスペンサー１３（図８には表示なし。図１〜３、５、６Ａ、及び１２〜１４を参照のこと）の外観を最小化し、消費者のエクスペリエンスを作るため、モジュール式分配装置１が現場に設置されるときに、氷ディスペンサーハウジング１４は現場の壁と同じ又は類似の色であってよい。氷ディスペンサーハウジング１４と現場の壁の色を合わせることにより、氷ディスペンサー１３（図８には表示なし。図１〜３、５、６Ａ、及び１２〜１４を参照のこと）は現場の壁と本質的に調和する。氷ディスペンサーハウジング１４が現場の壁と調和していると、消費者は利用可能な製品及びブランド情報に集中する。一貫した飲料分配エクスペリエンスが生じ、何らの機能性も失うことなく氷ディスペンサー１３（図８には表示なし。図１〜３、５、６Ａ、及び１２〜１４を参照のこと）のサイズ（すなわち、幅、奥行き、及び高さ）が隠される。更に、フレーム２が存在し、氷ディスペンサーハウジング１４が現場の壁と同じ又は類似の色である場合、現場及び機器の混乱によって消費者の気が散る可能性が低くなる。本質的に、ユーザーエクスペリエンスの骨組みが作られ、消費者は利用可能な製品により集中できる。
【０１１３】
いくつかの実施形態では、モジュール式分配装置１が現場に設置されるときに、氷ディスペンサーハウジング１４は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１１４】
特定の実施形態では、後側４は後壁１５を含み、モジュール式分配装置が現場に設置されるときに、後壁１５は現場の壁と同じ又は類似の色である。更なる実施形態では、モジュール式分配装置１が現場に設置されるときに、氷ディスペンサーハウジング１４及び後壁１５は、現場の壁と同じ又は類似の色である。特定の実施形態では、モジュール式分配装置１が現場に設置されるときに、氷ディスペンサーハウジング１４及び後壁１５は一体型構造であり、現場の壁と同じ又は類似の色である。
【０１１５】
１つ以上の実施形態では、モジュール式分配装置１が現場に設置されるときに、氷ディスペンサーハウジング１４及び後壁１５は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１１６】
いくつかの実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁と同じ又は類似の色である。現場の壁は、特に限定されない。さまざまな実施形態では、現場の壁は、例えば、クロス／布地、木材、ドライウォール、コンクリート、レンガ、金属、石材、又はそれらの組み合わせから作製されてよい。
【０１１７】
特定の実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１１８】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素（すなわち、フレーム２）は、現場から離れた場所で建造され、目的の現場に移送されてから、残りのモジュール式分配装置１の構成要素と一緒に組み立てられてよい。
【０１１９】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、フレーム２は、現場の壁を画定してよい。他の実施形態では、フレーム２及び現場の壁は、一体型構造である。いくつかの実施形態では、設置時に、フレーム２が現場の壁と一体化する。
【０１２０】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【０１２１】
第１の飲料ディスペンサー１１（図８には表示なし。図１、１２、及び１４を参照のこと）と、第２の飲料ディスペンサー１２（図８には表示なし。図１、１２、及び１４を参照のこと）との間に、氷ディスペンサーハウジング１４によって囲まれた氷ディスペンサー１３（図８には表示なし。図１〜３、５、６Ａ、及び１２〜１４を参照のこと）を置くことによって、セミプライベートのユーザーエクスペリエンスを可能にし、利用可能な製品に対して消費者の注意を更に集中させる。特定の実施形態では、モジュール式分配装置１が現場に設置されるときに、２つのハウジング側壁１９及び２０は、現場の壁に取り付けられる。いくつかの実施形態では、２つのハウジング側壁１９及び２０は後壁１５に取り付けられる。更なる実施形態では、２つのハウジング側壁１９及び２０並びに後壁１５は、一体型構造である。
【０１２２】
図９は、１つ以上の実施形態によるモジュール式分配装置１の分解図を示す。図１０Ａは、１つ以上の実施形態によるモジュール式分配装置１の背面図を示す。図１０Ｂは、図１０Ａのモジュール式分配装置１の貯蔵エリアの分解背面図を示す。図１０Ｃは、図１０Ａのモジュール式分配装置１の側壁及び中間壁の一部の分解図を示す。図１０Ｄは、図１０Ａのモジュール式分配装置１の氷ディスペンサーハウジング及び後壁の一部の分解図を示す。図１１Ａは、１つ以上の実施形態によるモジュール式分配装置１の鳥瞰図を示す。図１１Ｂは、図１１Ａのモジュール式分配装置１の上壁及び側壁の一部の分解図を示す。図１２は、１つ以上の実施形態によるモジュール式分配装置１を示す。
【０１２３】
図９、１０Ａ、１０Ｂ、１０Ｃ、１０Ｄ、１１Ａ、及び１１Ｂは、１つ以上の実施形態による、第１の飲料ディスペンサー１１（図９、１０Ａ、１０Ｂ、１０Ｃ、１０Ｄ、１１Ａ、及び１１Ｂには表示なし。図１、１２、及び１４を参照のこと）、第２の飲料ディスペンサー１２（図９、１０Ａ、１０Ｂ、１０Ｃ、１０Ｄ、１１Ａ、及び１１Ｂには表示なし。図１、１２、及び１４を参照のこと）、及び氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）がモジュール式分配装置１内に位置付けられる前の、モジュール式分配装置１を示す。図１２は、第１の飲料ディスペンサー１１、第２の飲料ディスペンサー１２、及び氷ディスペンサー１３がモジュール式分配装置１に位置付けられた後の、モジュール式分配装置１を示す。モジュール式分配装置１は、前側３、後側４、２つの側壁５及び６、上壁７、中間壁８、並びに底壁４１を有する、フレーム２を有する。第１のエンクレーブ９及び第２のエンクレーブ１０は、フレーム２内に位置している。氷ディスペンサーハウジング１４は、第１のエンクレーブ９と第２のエンクレーブ１０との間に位置付けられる。モジュール式分配装置１を構成し、組み立てた後、氷ディスペンサーハウジング１４が氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）のほぼ全体を囲むように、氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）は、第１のエンクレーブ９と第２のエンクレーブ１０との間の氷ディスペンサーハウジング１４内に位置付けられてよい。氷ディスペンサーハウジング１４は、２つのハウジング側壁１９及び２０、並びに前壁２１を有してよく、前壁２１は、氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）へのアクセスを可能にする開口部２２を有する。
【０１２４】
さまざまな実施形態では、中間壁８は、第１のゴミ収容開口部４２及び第２のゴミ収容開口部４３を有してよい。特定の実施形態では、第１のゴミ収容開口部４２は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）に隣接して位置付けられ、第２のゴミ収容開口部４３は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）に隣接して位置付けられ、第１の飲料ディスペンサー１１（図９、１０Ａ、１０Ｂ、１０Ｃ、１０Ｄ、１１Ａ、及び１１Ｂには表示なし。図１、１２、及び１４を参照のこと）及び第２の飲料ディスペンサー１２（図９、１０Ａ、１０Ｂ、１０Ｃ、１０Ｄ、１１Ａ、及び１１Ｂには表示なし。図１、１２、及び１４を参照のこと）の両方のユーザーが、ゴミを簡単かつ迅速に処分し、利用可能な製品に集中し、他のユーザーのエクスペリエンスの妨げとならないようにすることを可能にする。
【０１２５】
中間壁８は、第１の飲料ディスペンサー開口部４４を有してよく、その上に第１の飲料ディスペンサー１１（図９、１０Ａ、１０Ｂ、１０Ｃ、１０Ｄ、１１Ａ、及び１１Ｂには表示なし。図１、１２、及び１４を参照のこと）が位置付けられてよい。飲料分配機器、混合機器、移動機器、電気コード、チュービング、パイピング、及びそれらの組み合わせは、例えば、第１の飲料ディスペンサー１１（図９、１０Ａ、１０Ｂ、１０Ｃ、１０Ｄ、１１Ａ、及び１１Ｂには表示なし。図１、１２、及び１４を参照のこと）から、第１の飲料ディスペンサー開口部４４を通って、中間壁８の下の場所（すなわち、貯蔵エリア１７）、モジュール式分配装置１のすぐ外側の場所、遠隔地（すなわち、現場内部の部屋）、又はそれらの組み合わせまで達してよい。
【０１２６】
中間壁８は、第２の飲料ディスペンサー開口部４５を有してよく、その上に第２の飲料ディスペンサー１２（図９、１０Ａ、１０Ｂ、１０Ｃ、１０Ｄ、１１Ａ、及び１１Ｂには表示なし。図１、１２、及び１４を参照のこと）が位置付けられてよい。飲料分配機器、混合機器、移動機器、電気コード、チュービング、パイピング、及びそれらの組み合わせは、例えば、第２の飲料ディスペンサー１２（図９、１０Ａ、１０Ｂ、１０Ｃ、１０Ｄ、１１Ａ、及び１１Ｂには表示なし。図１、１２、及び１４を参照のこと）から、第２の飲料ディスペンサー開口部４５を通って、中間壁８の下の場所（すなわち、貯蔵エリア１７）、モジュール式分配装置１のすぐ外側の場所、遠隔地（すなわち、現場内部の部屋）、又はそれらの組み合わせに達してよい。
【０１２７】
中間壁８は、第１の凹状ポケット（複数を含む）又は容器（複数を含む）４６及び第２の凹状ポケット（複数を含む）又は容器（複数を含む）４７を含んでよい。第１の凹状ポケット（複数を含む）又は容器（複数を含む）４６及び第２の凹状ポケット（複数を含む）又は容器（複数を含む）４７は、例えば、中間壁８の上面の下にストロー、蓋、又はカップを貯蔵及び／又は分配するために使用されてよい。第１の凹状ポケット（複数を含む）又は容器（複数を含む）４６及び第２の凹状ポケット（複数を含む）又は容器（複数を含む）４７は、散乱を軽減し、利用可能な製品に対する消費者の注意を更に集中させる。特定の実施形態では、第１の凹状ポケット（複数を含む）又は容器（複数を含む）４６は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）に隣接して位置付けられ、第２の凹状ポケット（複数を含む）又は容器（複数を含む）４７は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）に隣接して位置付けられ、第１の飲料ディスペンサー１１（図９、１０Ａ、１０Ｂ、１０Ｃ、１０Ｄ、１１Ａ、及び１１Ｂには表示なし。図１、１２、及び１４を参照のこと）及び第２の飲料ディスペンサー１２（図９、１０Ａ、１０Ｂ、１０Ｃ、１０Ｄ、１１Ａ、及び１１Ｂには表示なし。図１、１２、及び１４を参照のこと）の両方のユーザーが、ストロー、蓋、カップ、又はそれらの組み合わせに簡単かつ迅速にアクセスし、利用可能な製品に集中し、他のユーザーのエクスペリエンスの妨げとならないようにすることを可能にする。
【０１２８】
特定の実施形態では、氷ディスペンサーハウジング１４は、第１のナプキンディスペンサー開口部４８及び第２のナプキンディスペンサー開口部４９を有してよい。特定の実施形態では、第１のナプキンディスペンサー開口部４８は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）に隣接して位置付けられ、第２のナプキンディスペンサー開口部４９は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）に隣接して位置付けられ、第１の飲料ディスペンサー１１（図９、１０Ａ、１０Ｂ、１０Ｃ、１０Ｄ、１１Ａ、及び１１Ｂには表示なし。図１、１２、及び１４を参照のこと）及び第２の飲料ディスペンサー１２（図９、１０Ａ、１０Ｂ、１０Ｃ、１０Ｄ、１１Ａ、及び１１Ｂには表示なし。図１、１２、及び１４を参照のこと）の両方のユーザーが、ナプキンに簡単かつ迅速にアクセスし、利用可能な製品に集中し、他のユーザーのエクスペリエンスの妨げとならないようにすることを可能にする。ナプキンディスペンサー（図示なし）は、第１のナプキンディスペンサー開口部４８及び第２のナプキンディスペンサー開口部４９に隣接する、氷ディスペンサーハウジング１４の内側に配置されてよい。
【０１２９】
前側３、後側４、２つの側壁５及び６、上壁７、中間壁８、並びに底壁４１を含むフレーム２と、氷ディスペンサーハウジング１４とは、任意の好適な材料で構成されてよい。例示の材料としては、限定するものではないが、ステンレス鋼、アルミニウム、プラスチック、木材、及びそれらの組み合わせが挙げられる。いくつかの実施形態では、フレーム２及び／又は氷ディスペンサーハウジング１４の全体がプラスチックで作製されてよい。他の実施形態では、フレーム２及び／又は氷ディスペンサーハウジング１４の全体がステンレス鋼で作製されてよい。更なる実施形態では、フレーム２及び／又は氷ディスペンサーハウジング１４の全体がアルミニウムで作製されてよい。またその他の実施形態では、中間壁８がステンレス鋼であり、フレーム２及び／又は氷ディスペンサーハウジング１４の残部はプラスチックである。なお更なる実施形態では、中間壁８がアルミニウムであり、フレーム２及び／又は氷ディスペンサーハウジング１４の残部はプラスチックである。特定の実施形態では、フレーム２及び／又は氷ディスペンサーハウジング１４は、ステンレス鋼、アルミニウム、及びプラスチックで作製されてよい。
【０１３０】
さまざまな実施形態では、氷ディスペンサーハウジング１４は、中間壁８、２つの側壁５及び６、並びに上壁７を含むフレーム２に設置され得る、組み立て式の装置である。他の実施形態では、氷ディスペンサーハウジング１４は、単一構造である。
【０１３１】
特定の実施形態では、モジュール式分配装置１は、中間壁８の下に位置する貯蔵エリア１７を有する。貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ等）、飲料成分、炭酸ガス、氷ディスペンサー機器、飲料ディスペンサー機器、冷却機器、ゴミ、又はそれらの組み合わせを収容するために使用されてよい。
【０１３２】
さまざまな実施形態では、後壁１５、底壁４１、貯蔵エリア１７、中間壁８、２つの側壁５及び６、上壁７、並びに氷ディスペンサーハウジング１４を含むフレーム２は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）、第２の飲料ディスペンサー１２（図９、１０Ａ、１０Ｂ、１０Ｃ、１０Ｄ、１１Ａ、及び１１Ｂには表示なし。図１、１２、及び１４を参照のこと）、及び氷ディスペンサー１３（図９、１０Ａ、１０Ｂ、１０Ｃ、１０Ｄ、１１Ａ、及び１１Ｂには表示なし。図１、１２、及び１４を参照のこと）の容易な組み立て及び解体と、問題のない設置とを促進するためのオープンフレームとして構成される。
【０１３３】
特定の実施形態では、モジュール式分配装置１のさまざまな個々の構成要素（すなわち、後壁１５、底壁４１、中間壁８、２つの側壁５及び６、上壁７、貯蔵エリア１７、並びに氷ディスペンサーハウジング１４）は、副構成要素で作製されてよい。例えば、いくつかの実施形態では、上壁７は、２つ以上の副上壁構成要素を含んでよい。他の実施形態では、後壁１５は、２つ以上の副後壁構成要素を含んでよい。更なる実施形態では、底壁４１は、２つ以上の副底壁構成要素を含んでよい。特定の実施形態では、中間壁８は、２つ以上の副中間壁構成要素を含んでよい。他の実施形態では、２つの側壁５及び６は、２つ以上の副側壁構成要素を含んでよい。更なる実施形態では、貯蔵エリア１７は、２つ以上の副貯蔵エリア構成要素を含んでよい。なお他の実施形態では、氷ディスペンサーハウジング１４は、２つ以上の副氷ディスペンサーハウジング構成要素を含んでよい。
【０１３４】
特定の実施形態では、貯蔵エリア１７は、３つの副貯蔵エリア構成要素を有してよい。例えば、貯蔵エリア１７は、第１の飲料ディスペンサーキャビネット５２、氷ディスペンサーキャビネット５３、及び第２の飲料ディスペンサーキャビネット５４を有してよい。いくつかの実施形態では、第１の飲料ディスペンサーキャビネット５２は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）に関連付けられた、飲料用品（すなわち、ストロー、蓋、カップ等）、飲料成分、炭酸ガス、飲料ディスペンサー機器、冷却機器、ゴミ、又はそれらの組み合わせを収容し得る。さまざまな実施形態では、第２の飲料ディスペンサーキャビネット５４は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）に関連付けられた、飲料用品（すなわち、ストロー、蓋、カップ等）、飲料成分、炭酸ガス、飲料ディスペンサー機器、冷却機器、ゴミ、又はそれらの組み合わせを収容し得る。特定の実施形態では、氷ディスペンサーキャビネット５３は、氷ディスペンサー１３（図９、１０Ａ、１０Ｂ、１０Ｃ、１０Ｄ、１１Ａ、及び１１Ｂには表示なし。図１、１２、及び１４を参照のこと）に関連付けられた、氷ディスペンサー機器、冷却機器、ナプキン、ゴミ、又はそれらの組み合わせを収容し得る。
【０１３５】
特定の実施形態では、上壁７は、側壁６の最上部の湾曲部分にポイント６３で取り付けられ、側壁６は、下部を介して中間壁８の上部の湾曲部分にポイント６４で取り付けられ、第２の飲料ディスペンサーキャビネット５４は、キャビネット取り付けポイント７３を介してポイント６５で氷ディスペンサーキャビネット５３に取り付けられ、氷ディスペンサーキャビネット５３は、キャビネット取り付けポイント７３を介してポイント６６で第１の飲料ディスペンサーキャビネット５２に取り付けられ、中間壁８の上部の湾曲部分は、ポイント６７で側壁５の下部に取り付けられ、側壁５の最上部の湾曲部分は、ポイント６２で上壁７に取り付けられる。更なる実施形態では、後壁１５は湾曲し、２つの湾曲した副後壁構成要素を含み、その１つはハウジングアタッチメント５５を介してハウジング側壁１９に取り付けられ、もう１つはハウジングアタッチメント５５を介してハウジング側壁２０に取り付けられる。いくつかの実施形態では、後壁１５は湾曲し、氷ディスペンサーハウジング１４とともに、中間壁８の対応する溝５０に置かれる。特定の実施形態では、溝５０は軌道を更に含む。他の実施形態では、後壁１５は湾曲し、氷ディスペンサーハウジング１４とともに、中間壁８の上に直接置かれる。更なる実施形態では、後壁１５は湾曲し、氷ディスペンサーハウジング１４とともに、中間壁８に取り付けられる。なお更なる実施形態では、後壁１５は湾曲し、後壁１５、氷ディスペンサーハウジング１４、及び中間壁８は一体型構造である。
【０１３６】
いくつかの実施形態では、氷ディスペンサー開口部５１は、中間壁８に存在し、その上に氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）が配置されてよい。氷分配機器、製氷機、冷却機器、移動機器、電気コード、チュービング、パイピング、及びそれらの組み合わせは、例えば、氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）から、氷ディスペンサー開口部５１を介して、中間壁８の下の場所（すなわち、貯蔵エリア１７）、モジュール式分配装置１のすぐ外側の場所、遠隔地（すなわち、現場内部の部屋）、又はそれらの組み合わせまで及んでよい。
【０１３７】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。特定の実施形態では、側壁５は、キーピン５６を介して中間壁８に取り付けられる。いくつかの実施形態では、２つのハウジング側壁１９及び２０は、ハウジングアタッチメント５５を介して後壁１５に取り付けられ、ハウジングアタッチメント５５にはナット５８及びボルト５７が使用される。さまざまな実施形態では、上壁７は、舌部６０及び溝６１の構造を使用して２つの側壁５及び６に取り付けられる。舌部６０及び溝６１の構造によって、フレーム２の構成要素間に強力なジョイントが生まれる。特定の実施形態では、ネジ５９（すなわち、木ネジ）がフレーム２の構成要素を所定の位置に固定し、容易な組み立て及び解体を可能にする。
【０１３８】
いくつかの実施形態では、上壁７は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）の上に位置する第１のスポットライト６８（図９、１０Ａ、１０Ｂ、１０Ｃ、１０Ｄ、１１Ａ、及び１１Ｂには表示なし。図１４を参照のこと）と、第２の飲料ディスペンサー１２（図９、１０Ａ、１０Ｂ、１０Ｃ、１０Ｄ、１１Ａ、及び１１Ｂには表示なし。図１、１２、及び１４を参照のこと）の上に位置する第２のスポットライト６９（図９、１０Ａ、１０Ｂ、１０Ｃ、１０Ｄ、１１Ａ、及び１１Ｂには表示なし。図１４を参照のこと）と、を更に含んでよい。特定の実施形態では、第１のスポットライト６８（図９、１０Ａ、１０Ｂ、１０Ｃ、１０Ｄ、１１Ａ、及び１１Ｂには表示なし。図１４を参照のこと）及び第２のスポットライト６９（図９、１０Ａ、１０Ｂ、１０Ｃ、１０Ｄ、１１Ａ、及び１１Ｂには表示なし。図１４を参照のこと）は、上壁７に凹設される。第１のスポットライト６８（図９、１０Ａ、１０Ｂ、１０Ｃ、１０Ｄ、１１Ａ、及び１１Ｂには表示なし。図１４を参照のこと）及び第２のスポットライト６９（図９、１０Ａ、１０Ｂ、１０Ｃ、１０Ｄ、１１Ａ、及び１１Ｂには表示なし。図１４を参照のこと）は、特定の種類のライトに限定されない。
【０１３９】
更なる実施形態では、モジュール式分配装置１は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）の前にいるユーザーの存在に基づいて、第１の飲料ディスペンサー１１（図９、１０Ａ、１０Ｂ、１０Ｃ、１０Ｄ、１１Ａ、及び１１Ｂには表示なし。図１、１２、及び１４を参照のこと）の上にある第１のスポットライト６８（図９、１０Ａ、１０Ｂ、１０Ｃ、１０Ｄ、１１Ａ、及び１１Ｂには表示なし。図１４を参照のこと）を起動させる、動き検出器を更に含んでよい。他の実施形態では、モジュール式分配装置１は、第１の飲料ディスペンサー１１（図９、１０Ａ、１０Ｂ、１０Ｃ、１０Ｄ、１１Ａ、及び１１Ｂには表示なし。図１、１２、及び１４を参照のこと）の前にいるユーザーによる１つ以上のジェスチャーに基づいて、第１の飲料ディスペンサー１１（図９、１０Ａ、１０Ｂ、１０Ｃ、１０Ｄ、１１Ａ、及び１１Ｂには表示なし。図１、１２、及び１４を参照のこと）の上にある第１のスポットライト６８（図９、１０Ａ、１０Ｂ、１０Ｃ、１０Ｄ、１１Ａ、及び１１Ｂには表示なし。図１４を参照のこと）を起動させる、ジェスチャー検出器を更に含んでよい。
【０１４０】
いくつかの実施形態では、モジュール式分配装置１は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）の前にいるユーザーの存在に基づいて、第２の飲料ディスペンサー１２（図９、１０Ａ、１０Ｂ、１０Ｃ、１０Ｄ、１１Ａ、及び１１Ｂには表示なし。図１、１２、及び１４を参照のこと）の上にある第２のスポットライト６９（図９、１０Ａ、１０Ｂ、１０Ｃ、１０Ｄ、１１Ａ、及び１１Ｂには表示なし。図１４を参照のこと）を起動させる、動き検出器を更に含んでよい。他の実施形態では、モジュール式分配装置１は、第２の飲料ディスペンサー１２（図９、１０Ａ、１０Ｂ、１０Ｃ、１０Ｄ、１１Ａ、及び１１Ｂには表示なし。図１、１２、及び１４を参照のこと）の前にいるユーザーによる１つ以上のジェスチャーに基づいて、第２の飲料ディスペンサー１２（図９、１０Ａ、１０Ｂ、１０Ｃ、１０Ｄ、１１Ａ、及び１１Ｂには表示なし。図１、１２、及び１４を参照のこと）の上にある第２のスポットライト６９（図９、１０Ａ、１０Ｂ、１０Ｃ、１０Ｄ、１１Ａ、及び１１Ｂには表示なし。図１４を参照のこと）を起動させる、ジェスチャー検出器を更に含んでよい。
【０１４１】
特定の実施形態では、モジュール式分配装置１は、上壁７並びに／又は側壁５及び／若しくは６を介して、前側３に取り付けられた、又は接続された、前面パネル１６（図９、１０Ａ、１０Ｂ、１０Ｃ、１０Ｄ、１１Ａ、及び１１Ｂには表示なし。図１を参照のこと）を更に含んでよい。モジュール式分配装置１の中間壁８、２つの側壁５及び６、上壁７、並びに前面パネル１６（図９、１０Ａ、１０Ｂ、１０Ｃ、１０Ｄ、１１Ａ、及び１１Ｂには表示なし。図１を参照のこと）は、一体型構造、単一構造、又はそれらの組み合わせであってよい。
【０１４２】
さまざまな実施形態では、モジュール式分配装置１は、モジュール式分配装置１の上に又は隣接して配置された広告、ロゴ、商標名、又は図案３６（図９、１０Ａ、１０Ｂ、１０Ｃ、１０Ｄ、１１Ａ、及び１１Ｂには表示なし。図２、３、５、６Ａ、７Ａ、７Ｂ、１３、及び１４を参照のこと）を更に有してよい。例えば、広告、ロゴ、商標名、又は図案３６（図９、１０Ａ、１０Ｂ、１０Ｃ、１０Ｄ、１１Ａ、及び１１Ｂには表示なし。図２、３、５、６Ａ、７Ａ、７Ｂ、１３、及び１４を参照のこと）は、底壁４１、前側３、後側４、後壁１５、側壁５及び／又は６、上壁７、中間壁８、前面パネル１６（図９、１０Ａ、１０Ｂ、１０Ｃ、１０Ｄ、１１Ａ、及び１１Ｂには表示なし。図１を参照のこと）、貯蔵エリア１７、氷ディスペンサーハウジング１４、又はそれらの組み合わせの上に又は隣接して配置されてよい。
【０１４３】
ベース部７５は、底壁４１の下に位置付けられてよい。さまざまな実施形態では、ベース部７５及び底壁４１は、一体型構造又は単一構造であってよい。いくつかの実施形態では、ベース部７５は、底壁４１に取り付けられる。他の実施形態では、ベース部７５及び底壁４１は、一体型構造である。特定の実施形態では、ベース部７５は、現場の床に取り付けられてよい。ベース部７５の例としては、限定されるものではないが、プラットフォーム、ホイール、キャスター、脚、ペグ、ブロック、又はそれらの組み合わせが挙げられる。
【０１４４】
さまざまな実施形態では、氷ディスペンサーハウジング１４は、氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）に取り付けられない。特定の実施形態では、氷ディスペンサーハウジング１４は、後側４、後壁１５、中間壁８、２つの側壁５及び／又は６、上壁７、又はそれらの組み合わせに取り付けられる。いくつかの実施形態では、氷ディスペンサーハウジング１４は、後側４に取り付けられる。他の実施形態では、氷ディスペンサーハウジング１４は、後壁１５に取り付けられる。更なる実施形態では、氷ディスペンサーハウジング１４は、中間壁８に取り付けられる。なお他の実施形態では、氷ディスペンサーハウジング１４は、２つの側壁５及び６に取り付けられる。なお更なる実施形態では、氷ディスペンサーハウジング１４は、上壁７に取り付けられる。他の実施形態では、モジュール式分配装置１が現場に設置されるときに、氷ディスペンサーハウジング１４は現場の壁に取り付けられる。
【０１４５】
氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）の外観を最小化し、消費者のエクスペリエンスを作るため、モジュール式分配装置１が現場に設置されるときに、氷ディスペンサーハウジング１４は現場の壁と同じ又は類似の色であってよい。氷ディスペンサーハウジング１４と現場の壁の色を合わせることにより、氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）は現場の壁と本質的に調和する。氷ディスペンサーハウジング１４が現場の壁と調和していると、消費者は利用可能な製品及びブランド情報に集中する。一貫した飲料分配エクスペリエンスが生じ、何らの機能性も失うことなく氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）のサイズ（すなわち、幅、奥行き、及び高さ）が隠される。更に、フレーム２が存在し、氷ディスペンサーハウジング１４が現場の壁と同じ又は類似の色である場合、現場及び機器の混乱によって消費者の気が散る可能性が低くなる。本質的に、ユーザーエクスペリエンスの骨組みが作られ、消費者は利用可能な製品により集中できる。
【０１４６】
いくつかの実施形態では、モジュール式分配装置１が現場に設置されるときに、氷ディスペンサーハウジング１４は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１４７】
特定の実施形態では、後側４は後壁１５を含み、モジュール式分配装置が現場に設置されるときに、後壁１５は現場の壁と同じ又は類似の色である。更なる実施形態では、モジュール式分配装置１が現場に設置されるときに、氷ディスペンサーハウジング１４及び後壁１５は、現場の壁と同じ又は類似の色である。特定の実施形態では、モジュール式分配装置１が現場に設置されるときに、氷ディスペンサーハウジング１４及び後壁１５は一体型構造であり、現場の壁と同じ又は類似の色である。
【０１４８】
１つ以上の実施形態では、モジュール式分配装置１が現場に設置されるときに、氷ディスペンサーハウジング１４及び後壁１５は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１４９】
いくつかの実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁と同じ又は類似の色である。現場の壁は、特に限定されない。さまざまな実施形態では、現場の壁は、例えば、クロス／布地、木材、ドライウォール、コンクリート、レンガ、金属、石材、又はそれらの組み合わせから作製されてよい。
【０１５０】
特定の実施形態では、モジュール式分配装置１が現場に設置されるときに、前側３、後側４、２つの側壁５及び６、上壁７、中間壁８、貯蔵エリア１７、及び底壁４１を含む、モジュール式分配装置１のフレーム２は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１５１】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素（すなわち、フレーム２）は、現場から離れた場所で建造され、目的の現場に移送されてから、残りのモジュール式分配装置１の構成要素と一緒に組み立てられてよい。
【０１５２】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、フレーム２は、現場の壁を画定してよい。他の実施形態では、フレーム２及び現場の壁は、一体型構造である。いくつかの実施形態では、設置時に、フレーム２が現場の壁と一体化する。
【０１５３】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【０１５４】
第１の飲料ディスペンサー１１（図９、１０Ａ、１０Ｂ、１０Ｃ、１０Ｄ、１１Ａ、及び１１Ｂには表示なし。図１、１２、及び１４を参照のこと）と第２の飲料ディスペンサー１２（図９、１０Ａ、１０Ｂ、１０Ｃ、１０Ｄ、１１Ａ、及び１１Ｂには表示なし。図１、１２、及び１４を参照のこと）との間に、氷ディスペンサーハウジング１４に囲まれた氷ディスペンサー１３（図９、１０Ａ、１０Ｂ、１０Ｃ、１０Ｄ、１１Ａ、及び１１Ｂには表示なし。図１〜３、５、６Ａ、及び１２〜１４を参照のこと）を置くことによって、セミプライベートのユーザーエクスペリエンスを可能にし、利用可能な製品に対して消費者の注意を更に集中させる。特定の実施形態では、モジュール式分配装置１が現場に設置されるときに、２つのハウジング側壁１９及び２０は、現場の壁に取り付けられる。いくつかの実施形態では、２つのハウジング側壁１９及び２０は後壁１５に取り付けられる。更なる実施形態では、２つのハウジング側壁１９及び２０並びに後壁１５は、一体型構造である。
【０１５５】
図１２は、第１の飲料ディスペンサー１１、第２の飲料ディスペンサー１２、及び氷ディスペンサー１３がモジュール式分配装置１に位置付けられた後の、モジュール式分配装置１を示す。氷ディスペンサー１３は、特定の氷分配機に限定されない。特定の実施形態では、氷ディスペンサー１３は氷貯蔵装置、氷製造装置、又はそれらの組み合わせを有する。例えば、いくつかの実施形態では、氷ディスペンサー１３は氷を貯蔵し、分配するが、氷を製造しない。他の実施形態では、氷ディスペンサー１３は氷を製造し、貯蔵し、分配する。特定の実施形態では、氷ディスペンサー１３は、氷貯蔵及び／又は分配装置の上部に積み上げられる製氷機を含む。
【０１５６】
氷ディスペンサーハウジング１４は、２つのハウジング側壁１９及び２０、並びに前壁２１を有してよく、前壁２１は、氷ディスペンサー１３へのアクセスを可能にする開口部２２を有する。窓２６は、グラフィック処理、広告、ロゴ、商標名、又は図案３６に使用されてよい。一体型ベゼル／ノズルカバー２４は、氷ディスペンサー１３の氷取り出し口２３を少なくとも部分的にカバーしてよい。氷ディスペンサー１３又は氷ディスペンサーハウジング１４の一部のいずれかから存在するレバー７４には、開口部２２を介してアクセスできる。
【０１５７】
第１の飲料ディスペンサー１１と第２の飲料ディスペンサー１２との間に、氷ディスペンサーハウジング１４に囲まれた氷ディスペンサー１３を置くことによって、セミプライベートのユーザーエクスペリエンスを可能にし、利用可能な製品に対して消費者の注意を更に集中させる。さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りに適合し得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。いくつかの実施形態では、２つのハウジング側壁１９及び２０は後壁１５に取り付けられる。更なる実施形態では、２つのハウジング側壁１９及び２０並びに後壁１５は、一体型構造である。
【０１５８】
第１の飲料ディスペンサー１１及び第２の飲料ディスペンサー１２は、特定のタイプの飲料ディスペンサーに限定されない。図１、２、７Ａ、７Ｂ、１２、及び１４は、１つ以上の実施形態による第１の飲料ディスペンサー１１及び第２の飲料ディスペンサー１２を示す。特定の実施形態では、第１の飲料ディスペンサー１１及び第２の飲料ディスペンサー１２は、１つ以上の飲料が分配され得る、１つ以上の分配ヘッド３８を有するタワーを含んでよい。第１の飲料ディスペンサー１１及び第２の飲料ディスペンサー１２は、ホット又はコールド飲料を分配し得る。さまざまな実施形態では、第１の飲料ディスペンサー１１及び第２の飲料ディスペンサー１２は、炭酸飲料、清涼飲料、ソーダ、コーラ、ジュース、茶、水、又はそれらの組み合わせを分配し得る。
【０１５９】
特定の実施形態では、第１の飲料ディスペンサー１１及び／又は第２の飲料ディスペンサー１２は、１つ又は複数の分配ヘッド３８の下に位置付けられたドリップパン４０を有してよい。さまざまな実施形態では、第１の飲料ディスペンサー１１及び／又は第２の飲料ディスペンサー１２は、画面３９を更に含んでよく、その画面で消費者は、利用可能な製品及び消費者が注文した特定の飲料に関する情報を見ることができる。特定の実施形態では、画面３９は、消費者が、第１の飲料ディスペンサー１１及び／又は第２の飲料ディスペンサー１２を操作することを可能にするタッチスクリーンである。さまざまな実施形態では、第１の飲料ディスペンサー１１及び／又は第２の飲料ディスペンサー１２は、第１の飲料ディスペンサー１１及び／又は第２の飲料ディスペンサー１２に位置する広告、ロゴ、商標名、又は図案３６を更に有してよい。
【０１６０】
第１の飲料ディスペンサー１１及び第２の飲料ディスペンサー１２は、ライトを更に有してよい。例えば、特定の実施形態では、第１の飲料ディスペンサー１１及び／又は第２の飲料ディスペンサー１２は、１つ若しくは２つ以上の分配ヘッド３８に隣接して、１つ若しくは２つ以上の分配ヘッド３８の上に、１つ若しくは２つ以上の分配ヘッド３８の下に、１つ若しくは２つ以上の分配ヘッド３８を囲んで、１つ若しくは２つ以上の分配ヘッド３８の中に、又はそれらの組み合わせで位置付けられたライトを有してよい。このようなライトは、何らの特定の種類のライトにも限定されない。
【０１６１】
更なる実施形態では、モジュール式分配装置１は、第１の飲料ディスペンサー１１の前にいるユーザーの存在に基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、ジェスチャー検出器を更に含んでよい。
【０１６２】
更なる実施形態では、モジュール式分配装置１は、第２の飲料ディスペンサー１２の前にいるユーザーの存在に基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。
【０１６３】
第１の飲料ディスペンサー１１及び第２の飲料ディスペンサー１２は、任意の好適な分配テクノロジーを使用してよい。例えば、第１の飲料ディスペンサー１１及び第２の飲料ディスペンサー１２は、従来の清涼飲料水混合及び／又は分配機器並びに方法を使用してよい。混合及び／又は移動機器は、貯蔵エリア１７又は遠隔地に配置されてよい。例えば、混合及び／又は移動機器は、現場内部の部屋に配置されてよい。
【０１６４】
図１３は、別の実施形態によるモジュール式分配装置１を示す。モジュール式分配装置１は、カウンタートップ１８を有してよく、その上に氷ディスペンサー１３が配置される。氷ディスペンサーハウジング１４は、氷ディスペンサー１３のほぼ全体を囲む。貯蔵エリア１７は、カウンタートップ１８の下に配置される。
【０１６５】
貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ、等）、飲料成分、炭酸ガス、氷ディスペンサー機器、飲料ディスペンサー機器、冷却機器、ゴミ、又はそれらの組み合わせを収容するために使用されてよい。
【０１６６】
氷ディスペンサーハウジング１４は、２つのハウジング側壁１９及び２０、並びに前壁２１を有してよく、前壁２１は、氷ディスペンサー１３へのアクセスを可能にする開口部２２を有する。氷ディスペンサー１３に氷を入れられるように、氷ディスペンサーハウジング１４は蓋２７を有してよい。窓２６は、グラフィック処理、広告、ロゴ、商標名、又は図案３６に使用されてよい。一体型ベゼル／ノズルカバー２４は、氷ディスペンサー１３の氷取り出し口２３を少なくとも部分的にカバーしてよい。氷ディスペンサー１３又は氷ディスペンサーハウジング１４の一部のいずれかから存在するレバー７４には、開口部２２を介してアクセスできる。
【０１６７】
さまざまな実施形態では、カウンタートップ１８は第１のゴミ収容開口部４２（図１３には表示なし。図１、８、９、１１Ａ、及び１４を参照のこと）及び第２のゴミ収容開口部４３（図１３には表示なし。図１、８、９、１１Ａ、及び１４を参照のこと）を有してよい。特定の実施形態では、第１のゴミ収容開口部４２（図１３には表示なし。図１、８、９、１１Ａ、及び１４を参照のこと）は、ハウジング側壁１９に隣接して位置付けられ、第２のゴミ収容開口部４３（図１３には表示なし。図１、８、９、１１Ａ、及び１４を参照のこと）は、ハウジング側壁２０に隣接して位置付けられる。
【０１６８】
いくつかの実施形態では、カウンタートップ１８は、第１の凹状ポケット（複数を含む）又は容器（複数を含む）４６（図１３には表示なし。図１、８、９、１０Ｂ、１０Ｃ、１１Ａ、及び１４を参照のこと）及び第２の凹状ポケット（複数を含む）又は容器（複数を含む）４７（図１３には表示なし。図１、８、９、１０Ｂ、１０Ｃ、１１Ａ、及び１４を参照のこと）を含んでよい。第１の凹状ポケット（複数を含む）又は容器（複数を含む）４６（図１３には表示なし。図１、８、９、１０Ｂ、１０Ｃ、１１Ａ、及び１４を参照のこと）及び第２の凹状ポケット（複数を含む）又は容器（複数を含む）４７（図１３には表示なし。図１、８、９、１０Ｂ、１０Ｃ、１１Ａ、及び１４を参照のこと）は、例えば、カウンタートップ１８の上面の下にストロー、蓋、又はカップを貯蔵及び／又は分配するために使用されてよい。第１の凹状ポケット（複数を含む）又は容器（複数を含む）４６（図１３には表示なし。図１、８、９、１０Ｂ、１０Ｃ、１１Ａ、及び１４を参照のこと）及び第２の凹状ポケット（複数を含む）又は容器（複数を含む）４７（図１３には表示なし。図１、８、９、１０Ｂ、１０Ｃ、１１Ａ、及び１４を参照のこと）は、散乱を軽減し、消費者の注意を利用可能な製品に更に集中させる。特定の実施形態では、第１の凹状ポケット（複数を含む）又は容器（複数を含む）４６（図１３には表示なし。図１、８、９、１０Ｂ、１０Ｃ、１１Ａ、及び１４を参照のこと）は、ハウジング側壁１９に隣接して位置付けられ、第２の凹状ポケット（複数を含む）又は容器（複数を含む）４７（図１３には表示なし。図１、８、９、１０Ｂ、１０Ｃ、１１Ａ、及び１４を参照のこと）は、ハウジング側壁２０に隣接して位置付けられる。
【０１６９】
特定の実施形態では、氷ディスペンサーハウジング１４は第１のナプキンディスペンサー開口部４８（図１３には表示なし。図１、８、９、１０Ａ、１１Ｂ、１２、及び１４を参照のこと）及び第２のナプキンディスペンサー開口部４９（図１３には表示なし。図１、８、９、１０Ａ、１１Ｂ、１２、及び１４を参照のこと）を有してよい。いくつかの実施形態では、第１のナプキンディスペンサー開口部４８（図１３には表示なし。図１、８、９、１０Ａ、１１Ｂ、１２、及び１４を参照のこと）は、ハウジング側壁１９に隣接して位置付けられ、第２のナプキンディスペンサー開口部４９（図１３には表示なし。図１、８、９、１０Ａ、１１Ｂ、１２、及び１４を参照のこと）は、ハウジング側壁２０に隣接して位置付けられる。ナプキンディスペンサー（図示なし）は、第１のナプキンディスペンサー開口部４８（図１３には表示なし。図１、８、９、１０Ａ、１１Ｂ、１２、及び１４を参照のこと）及び第２のナプキンディスペンサー開口部４９（図１３には表示なし。１、８、９、１０Ａ、１１Ｂ、１２、及び１４を参照のこと）に隣接する、氷ディスペンサーハウジング１４の内部に配置されてよい。
【０１７０】
さまざまな実施形態では、氷ディスペンサーハウジング１４は、氷ディスペンサー１３の氷取り出し口２３（すなわち、氷シュート又はノズル）をカバーしない。特定の実施形態では、氷ディスペンサーハウジング１４は、カウンタートップ１８に取り付けられる。他の実施形態では、氷ディスペンサーハウジング１４及びカウンタートップ１８は、一体型構造である。他の実施形態では、氷ディスペンサーハウジング１４、カウンタートップ１８、及び貯蔵エリア１７は、一体型構造である。更に他の実施形態では、モジュール式分配装置１が現場に設置されるときに、氷ディスペンサーハウジング１４、カウンタートップ１８、貯蔵エリア１７、又はそれらの組み合わせは、現場の壁に取り付けられる。特定の実施形態では、モジュール式分配装置１が現場に設置されるときに、氷ディスペンサーハウジング１４は、現場の壁に取り付けられる。更なる実施形態では、モジュール式分配装置１が現場に設置されるときに、カウンタートップ１８及び／又は貯蔵エリア１７は、現場の壁に取り付けられる。他の実施形態では、モジュール式分配装置１が現場に設置されるときに、氷ディスペンサーハウジング１４、カウンタートップ１８、及び貯蔵エリア１７は、現場の壁に取り付けられる。
【０１７１】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【０１７２】
カウンタートップ１８は、任意の好適な材料で構成されてよい。例示の材料としては、限定するものではないが、ステンレス鋼、アルミニウム、プラスチック、木材、及びそれらの組み合わせが挙げられる。いくつかの実施形態では、カウンタートップ１８はプラスチックで作製されてよい。他の実施形態では、カウンタートップ１８はステンレス鋼で作製されてよい。更なる実施形態では、カウンタートップ１８はアルミニウムで作製されてよい。更に他の実施形態では、カウンタートップ１８はステンレス鋼及びプラスチックである。なお更なる実施形態では、カウンタートップ１８はアルミニウム及びプラスチックである。
【０１７３】
氷ディスペンサー１３の外観及びサイズを最小化し、消費者のエクスペリエンスを作るため、モジュール式分配装置１が現場に設置されるときに、氷ディスペンサーハウジング１４は、現場の壁と同じ又は類似の色であってよい。氷ディスペンサーハウジング１４の色を合わせることにより、氷ディスペンサー１３は現場の壁と本質的に調和する。氷ディスペンサーハウジング１４が現場の壁と調和していると、消費者は利用可能な製品及びブランド情報に集中する。更に、氷ディスペンサーハウジング１４が現場の壁と同じ又は類似の色である場合、現場及び機器の混乱によって消費者の気が散る可能性が低くなる。本質的に、消費者は利用可能な製品により集中できる。
【０１７４】
いくつかの実施形態では、モジュール式分配装置１が現場に設置されるときに、氷ディスペンサーハウジング１４は、現場の壁の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０１７５】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素は、現場から離れた場所で建造され、目的の現場に移送されてから、残りのモジュール式分配装置１の構成要素と一緒に組み立てられる。
【０１７６】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、モジュール式分配装置１は、現場の壁を画定してよい。他の実施形態では、モジュール式分配装置１及び現場の壁は、一体型構造である。いくつかの実施形態では、設置時に、モジュール式分配装置１が現場の壁と一体化する。
【０１７７】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【０１７８】
氷ディスペンサー１３は、特定の氷分配機に限定されない。特定の実施形態では、氷ディスペンサー１３は氷貯蔵装置、氷製造装置、又はそれらの組み合わせを有する。例えば、いくつかの実施形態では、氷ディスペンサー１３は氷を貯蔵し、分配するが、氷を製造しない。他の実施形態では、氷ディスペンサー１３は氷を製造し、貯蔵し、分配する。特定の実施形態では、氷ディスペンサー１３は、氷貯蔵及び／又は分配装置の上部に積み上げられる製氷機を含む。
【０１７９】
さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りに適合し得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。
【０１８０】
さまざまな実施形態では、モジュール式分配装置１は、モジュール式分配装置１の上に又は隣接して配置された広告、ロゴ、商標名、又は図案３６を更に有してよい。例えば、広告、ロゴ、商標名、又は図案３６は、カウンタートップ１８、貯蔵エリア１７、第１の飲料ディスペンサー１１、第２の飲料ディスペンサー１２、氷ディスペンサーハウジング１４、又はそれらの組み合わせの上に又は隣接して配置されてよい。
【０１８１】
図１４は、１つ以上の実施形態によるモジュール式分配装置を示す。モジュール式分配装置１は、前側３、後側４、２つの側壁５及び６、上壁７、中間壁８、並びに底壁４１を有する、フレーム２を有する。第１のエンクレーブ９及び第２のエンクレーブ１０は、フレーム２内に位置している。第１の飲料ディスペンサー１１は、第１のエンクレーブ９に配置される。第２の飲料ディスペンサー１２は、第２のエンクレーブ１０に配置される。氷ディスペンサー１３は、第１のエンクレーブ９と第２のエンクレーブ１０との間に位置付けられる。氷ディスペンサーハウジング１４は、氷ディスペンサー１３のほぼ全体を囲む。氷ディスペンサーハウジング１４は、２つのハウジング側壁１９及び２０、並びに前壁２１を有してよく、前壁２１は、氷ディスペンサー１３の氷取り出し口２３へのアクセスを可能にする開口部２２を有する。窓２６は、グラフィック処理、広告、ロゴ、商標名、又は図案３６に使用されてよい。一体型ベゼル／ノズルカバー２４は、氷ディスペンサー１３の氷取り出し口２３を少なくとも部分的にカバーしてよい。氷ディスペンサー１３又は氷ディスペンサーハウジング１４の一部のいずれかから存在するレバー７４には、開口部２２を介してアクセスできる。
【０１８２】
前側３、後側４、２つの側壁５及び６、上壁７、中間壁８、並びに底壁４１を含むフレーム２と、氷ディスペンサーハウジング１４とは、任意の好適な材料で構成されてよい。例示の材料としては、限定するものではないが、ステンレス鋼、アルミニウム、プラスチック、木材、及びそれらの組み合わせが挙げられる。いくつかの実施形態では、フレーム２及び／又は氷ディスペンサーハウジング１４の全体がプラスチックで作製されてよい。他の実施形態では、フレーム２及び／又は氷ディスペンサーハウジング１４の全体がステンレス鋼で作製されてよい。更なる実施形態では、フレーム２及び／又は氷ディスペンサーハウジング１４の全体がアルミニウムで作製されてよい。またその他の実施形態では、中間壁８がステンレス鋼であり、フレーム２及び／又は氷ディスペンサーハウジング１４の残部はプラスチックである。なお更なる実施形態では、中間壁８がアルミニウムであり、フレーム２及び／又は氷ディスペンサーハウジング１４の残部はプラスチックである。特定の実施形態では、フレーム２及び／又は氷ディスペンサーハウジング１４は、ステンレス鋼、アルミニウム、及びプラスチックで作製されてよい。
【０１８３】
特定の実施形態では、氷ディスペンサーハウジング１４は、単一構造の中間壁８、２つの側壁５及び６、並びに上壁７を含むフレーム２に設置され得る、組み立て式の装置である。さまざまな実施形態では、後壁１５、底壁４１、貯蔵エリア１７、中間壁８、２つの側壁５及び６、上壁７、及び氷ディスペンサーハウジング１４を含むフレーム２は、第１の飲料ディスペンサー１１、第２の飲料ディスペンサー１２、及び氷ディスペンサー１３の容易な組み立て及び解体と、問題のない設置とを促進するためのオープンフレームとして構成される。
【０１８４】
図１４では、モジュール式分配装置１は、中間壁８の下に位置する貯蔵エリア１７を有する。貯蔵エリア１７は、特に限定されない。例えば、貯蔵エリア１７は、キャビネット、棚、又はそれらの組み合わせを含んでよい。貯蔵エリア１７は、飲料用品（すなわち、ストロー、蓋、カップ等）、飲料成分、炭酸ガス、氷ディスペンサー機器、飲料ディスペンサー機器、冷却機器、ゴミ、又はそれらの組み合わせを収容するために使用されてよい。
【０１８５】
図１４のモジュール式分配装置１の後側４は、後壁１５を含む。モジュール式分配装置１の後壁１５、底壁４１、中間壁８、２つの側壁５及び６、上壁７、貯蔵エリア１７、並びに氷ディスペンサーハウジング１４は、一体型構造、単一構造、又はそれらの組み合わせであってよい。特定の実施形態では、モジュール式分配装置１のさまざまな個々の構成要素（すなわち、後壁１５、底壁４１、中間壁８、２つの側壁５及び６、上壁７、貯蔵エリア１７、並びに氷ディスペンサーハウジング１４）は、副構成要素で作製されてよい。例えば、いくつかの実施形態では、上壁７は、２つ以上の副上壁構成要素を含んでよい。他の実施形態では、後壁１５は、２つ以上の副後壁構成要素を含んでよい。更なる実施形態では、底壁４１は、２つ以上の副底壁構成要素を含んでよい。特定の実施形態では、中間壁８は、２つ以上の副中間壁構成要素を含んでよい。他の実施形態では、２つの側壁５及び６は、２つ以上の副側壁構成要素を含んでよい。更なる実施形態では、貯蔵エリア１７は、２つ以上の副貯蔵エリア構成要素を含んでよい。なお他の実施形態では、氷ディスペンサーハウジング１４は、２つ以上の副氷ディスペンサーハウジング構成要素を含んでよい。
【０１８６】
特定の実施形態では、貯蔵エリア１７は、３つの副貯蔵エリア構成要素を有してよい。例えば、貯蔵エリア１７は、第１の飲料ディスペンサーキャビネット５２、氷ディスペンサーキャビネット５３、及び第２の飲料ディスペンサーキャビネット５４を有してよい。いくつかの実施形態では、第１の飲料ディスペンサーキャビネット５２は、第１の飲料ディスペンサー１１に関連付けられた飲料用品（すなわち、ストロー、蓋、カップ等）、飲料成分、炭酸ガス、飲料ディスペンサー機器、冷却機器、ゴミ、又はそれらの組み合わせを収容し得る。さまざまな実施形態では、第２の飲料ディスペンサーキャビネット５４は、第２の飲料ディスペンサー１２に関連付けられた飲料用品（すなわち、ストロー、蓋、カップ等）、飲料成分、炭酸ガス、飲料ディスペンサー機、冷却機、ゴミ、又はそれらの組み合わせを収容し得る。特定の実施形態では、氷ディスペンサーキャビネット５３は、氷ディスペンサー１３に関連付けられた氷ディスペンサー機、冷却機、ナプキン、ゴミ、又はそれらの組み合わせを収容し得る。
【０１８７】
特定の実施形態では、上壁７は、側壁６の最上部の湾曲部分にポイント６３で取り付けられ、側壁６は、下部を介して中間壁８の上部の湾曲部分にポイント６４で取り付けられ、第２の飲料ディスペンサーキャビネット５４は、キャビネット取り付けポイント７３を介してポイント６５で氷ディスペンサーキャビネット５３に取り付けられ、氷ディスペンサーキャビネット５３は、キャビネット取り付けポイント７３を介してポイント６６で第１の飲料ディスペンサーキャビネット５２に取り付けられ、中間壁８の上部の湾曲部分は、ポイント６７で側壁５の下部に取り付けられ、側壁５の最上部の湾曲部分は、ポイント６２で上壁７に取り付けられる。
【０１８８】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。溝形構造によって、フレーム２の構成要素間に強力なジョイントが生じる。特定の実施形態では、ネジ（すなわち、木ネジ）がフレーム２の構成要素を所定の位置に固定し、容易な組み立て及び解体を可能にする。
【０１８９】
図１４のモジュール式分配装置１の上壁７は、第１の飲料ディスペンサー１１の上に位置する第１のスポットライト６８と、第２の飲料ディスペンサー１２の上に位置する第２のスポットライト６９と、を更に含む。特定の実施形態では、第１のスポットライト６８及び第２のスポットライト６９は、上壁７に凹設される。第１のスポットライト６８及び第２のスポットライト６９は、何らの特定の種類のライトにも限定されない。
【０１９０】
更なる実施形態では、モジュール式分配装置１は、第１の飲料ディスペンサー１１の前にいるユーザーの存在に基づいて、第１の飲料ディスペンサー１１の上にある第１のスポットライト６８を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサー１１の上にある第１のスポットライト６８を起動させる、ジェスチャー検出器を更に含んでよい。
【０１９１】
いくつかの実施形態では、モジュール式分配装置１は、第２の飲料ディスペンサー１２の前にいるユーザーの存在に基づいて、第２の飲料ディスペンサー１２の上にある第２のスポットライト６９を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサー１２の上にある第２のスポットライト６９を起動させる、ジェスチャー検出器を更に含んでよい。
【０１９２】
図１４のモジュール式分配装置１の中間壁８は、第１の飲料ディスペンサー１１に隣接して位置付けられた第１の凹状ポケット（複数を含む）又は容器（複数を含む）４６、及び第２の飲料ディスペンサー１２に隣接して位置付けられた第２の凹状ポケット（複数を含む）又は容器（複数を含む）４７を含む。第１の凹状ポケット（複数を含む）又は容器（複数を含む）４６及び第２の凹状ポケット（複数を含む）又は容器（複数を含む）４７は、例えば、中間壁８の上面の下にストロー、蓋７２、又はカップ７１を貯蔵及び／又は分配するために使用されてよい。第１の凹状ポケット（複数を含む）又は容器（複数を含む）４６、及び第２の凹状ポケット（複数を含む）又は容器（複数を含む）４７の位置決めによって散乱が軽減され、第１の飲料ディスペンサー１１及び第２の飲料ディスペンサー１２の両方のユーザーが、ストロー、蓋７２、カップ７１、又はそれらの組み合わせに簡単かつ迅速にアクセスし、利用可能な製品に集中し、他のユーザーの経験の妨げとならないようにすることを可能にする。
【０１９３】
図１４のモジュール式分配装置１の中間壁８は、第１の飲料ディスペンサー１１に隣接して位置付けられた第１のゴミ収容開口部４２、及び第２の飲料ディスペンサー１２に隣接して位置付けられた第２のゴミ収容開口部４３を有する。第１のゴミ収容開口部４２及び第２のゴミ収容開口部４３の位置決めによって、第１の飲料ディスペンサー１１及び第２の飲料ディスペンサー１２の両方のユーザーが、ゴミを簡単かつ迅速に処分し、利用可能な製品に集中し、他のユーザーのエクスペリエンスの妨げとならないようにすることを可能にする。
【０１９４】
図１４のモジュール式分配装置１の氷ディスペンサーハウジング１４は、第１の飲料ディスペンサー１１に隣接して位置付けられた第１のナプキンディスペンサー開口部４８、及び第２の飲料ディスペンサー１２に隣接して位置付けられた第２のナプキンディスペンサー開口部４９を有する。第１のナプキンディスペンサー開口部４８及び第２のナプキンディスペンサー開口部４９の位置決めによって、第１の飲料ディスペンサー１１及び第２の飲料ディスペンサー１２の両方のユーザーが、ナプキンに簡単かつ迅速にアクセスし、利用可能な製品に集中し、他のユーザーのエクスペリエンスの妨げとならないようにすることを可能にする。ナプキンディスペンサー（図示なし）は、第１のナプキンディスペンサー開口部４８及び第２のナプキンディスペンサー開口部４９に隣接する、氷ディスペンサーハウジング１４の内側に配置されてよい。
【０１９５】
特定の実施形態では、モジュール式分配装置１は、上壁７、並びに／又は側壁５及び／若しくは６を介して、前側３に取り付けられた、又は接続された、前面パネル１６（図１４には表示なし。図１を参照のこと）を更に含んでよい。モジュール式分配装置１の中間壁８、２つの側壁５及び６、上壁７、並びに前面パネル１６（図１４には表示なし。図１を参照のこと）は、一体型構造、単一構造、又はそれらの組み合わせであってよい。
【０１９６】
図１４のモジュール式分配装置１は、モジュール式分配装置１の上に又は隣接して配置された広告、ロゴ、商標名、又は図案３６を有する。広告、ロゴ、商標名、又は図案３６は、第１の飲料ディスペンサー１１（図１４には表示なし。図２、７Ａ、及び７Ｂを参照のこと）、第２の飲料ディスペンサー１２、及び氷ディスペンサーハウジング１４の上に又は隣接して配置される。
【０１９７】
ベース部７５は、底壁４１の下に位置付けられてよい。さまざまな実施形態では、ベース部７５及び底壁４１は、一体型構造又は単一構造であってよい。いくつかの実施形態では、ベース部７５は、底壁４１に取り付けられる。他の実施形態では、ベース部７５及び底壁４１は、一体型構造である。特定の実施形態では、ベース部７５は、現場の床に取り付けられてよい。ベース部７５の例としては、限定されるものではないが、プラットフォーム、ホイール、キャスター、脚、ペグ、ブロック、又はそれらの組み合わせが挙げられる。
【０１９８】
さまざまな実施形態では、氷ディスペンサーハウジング１４は、氷ディスペンサー１３に取り付けられない。特定の実施形態では、氷ディスペンサーハウジング１４は、後側４、後壁１５、中間壁８、２つの側壁５及び／又は６、上壁７、又はそれらの組み合わせに取り付けられる。いくつかの実施形態では、氷ディスペンサーハウジング１４は、後側４に取り付けられる。他の実施形態では、氷ディスペンサーハウジング１４は、後壁１５に取り付けられる。更なる実施形態では、氷ディスペンサーハウジング１４は、中間壁８に取り付けられる。なお他の実施形態では、氷ディスペンサーハウジング１４は、２つの側壁５及び６に取り付けられる。なお更なる実施形態では、氷ディスペンサーハウジング１４は、上壁７に取り付けられる。他の実施形態では、モジュール式分配装置１が現場に設置されるときに、氷ディスペンサーハウジング１４は現場の壁に取り付けられる。
【０１９９】
任意の好適な取り付け機構が使用されてよい。好適な取り付け機構には、限定されるものではないが、にかわ、エポキシー、接着剤、テープ、ネジ、鋲、ナット及びボルト、キーピン、溝形構造、溶接、鋳造、又はそれらの組み合わせが挙げられる。
【０２００】
モジュール式分配装置１が現場に設置されるときに、前側３、後側４、２つの側壁５及び６、上壁７、中間壁８、貯蔵エリア１７、及び底壁４１を含む、図１４のモジュール式分配装置１のフレーム２は、現場の壁７０と同じ又は類似の色である。図１４の壁７０はカーテンである。ただし、壁７０は、特に限定されない。さまざまな実施形態では、壁７０は、例えば、クロス／布地、木材、ドライウォール、コンクリート、レンガ、金属、石材、又はそれらの組み合わせで作製されてよい。特定の実施形態では、モジュール式分配装置１が現場に設置されるときに、前側３、後側４、２つの側壁５及び６、上壁７、中間壁８、貯蔵エリア１７、及び底壁４１を含む、図１４のモジュール式分配装置１のフレーム２は、現場の壁７０の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０２０１】
他の実施形態では、氷ディスペンサー１３の外観を最小化し、消費者のエクスペリエンスを作るため、モジュール式分配装置１が現場に設置されるときに、氷ディスペンサーハウジング１４は、現場の壁７０と同じ又は類似の色であってよい。氷ディスペンサーハウジング１４と現場の壁７０の色を合わせることにより、氷ディスペンサー１３は現場の壁７０と本質的に調和する。氷ディスペンサーハウジング１４が現場の壁７０と調和していると、消費者は利用可能な製品及びブランド情報に集中する。一貫した飲料分配エクスペリエンスが生じ、何らの機能性も失われることなく、氷ディスペンサー１３のサイズ（すなわち、幅、奥行き、及び高さ）が隠される。更に、フレーム２が存在し、氷ディスペンサーハウジング１４が現場の壁７０と同じ又は類似の色である場合、現場及び機器の混乱によって消費者の気が散る可能性が低くなる。本質的に、ユーザーエクスペリエンスの骨組みが作られ、消費者は利用可能な製品により集中できる。
【０２０２】
特定の実施形態では、モジュール式分配装置１が現場に設置されるときに、氷ディスペンサーハウジング１４は現場の壁７０の上に又は隣接して位置付けられるカバーと同じ又は類似の色である。このようなカバーは、特に限定されない。カバーは、例えば、ペンキ、クロス／布地、紙、プラスチック、金属、ボール紙、板紙、又はそれらの組み合わせから作製されてよい。
【０２０３】
特定の実施形態では、後側４は後壁１５を含み、モジュール式分配装置が現場に設置されるときに、後壁１５は現場の壁と同じ又は類似の色である。更なる実施形態では、モジュール式分配装置１が現場に設置されるときに、氷ディスペンサーハウジング１４及び後壁１５は、現場の壁と同じ又は類似の色である。特定の実施形態では、モジュール式分配装置１が現場に設置されるときに、氷ディスペンサーハウジング１４及び後壁１５は一体型構造であり、現場の壁と同じ又は類似の色である。
【０２０４】
モジュール式分配装置１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１全体は、現場から離れた場所で建造され、及び／又は組み立てられてから、目的の現場に移送されてよい。他の実施形態では、モジュール式分配装置１全体は、目的の現場の現場で建造され、及び／又は組み立てられてよい。更に他の実施形態では、モジュール式分配装置１の構成要素（すなわち、フレーム２）は、現場から離れた場所で建造され、目的の現場に移送されてから、残りのモジュール式分配装置１の構成要素と一緒に組み立てられてよい。
【０２０５】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又は飲食サービスサイトが挙げられる。さまざまな実施形態では、モジュール式分配装置１は、現場の壁上に、現場の壁にもたれて、現場の壁に隣接して設置される、現場の壁に凹設される、又はそれらの組み合わせによって設置されてよい。特定の実施形態では、フレーム２は、現場の壁を画定してよい。他の実施形態では、フレーム２及び現場の壁は、一体型構造である。いくつかの実施形態では、設置時に、フレーム２が現場の壁と一体化する。
【０２０６】
さまざまな実施形態では、モジュール式分配装置１は、目的の現場に容易に移送され、設置され得るようにサイズ設定される。例えば、いくつかの実施形態では、モジュール式分配装置１は、完全に建造され、及び／又は組み立てられた装置がエレベーターに適合し得るようにサイズ設定される。
【０２０７】
氷ディスペンサー１３は、特定の氷分配機に限定されない。特定の実施形態では、氷ディスペンサー１３は氷貯蔵装置、氷製造装置、又はそれらの組み合わせを有する。例えば、いくつかの実施形態では、氷ディスペンサー１３は氷を貯蔵し、分配するが、氷を製造しない。他の実施形態では、氷ディスペンサー１３は氷を製造し、貯蔵し、分配する。特定の実施形態では、氷ディスペンサー１３は、氷貯蔵及び／又は分配装置の上部に積み上げられる製氷機を含む。
【０２０８】
第１の飲料ディスペンサー１１と第２の飲料ディスペンサー１２との間に、氷ディスペンサーハウジング１４に囲まれた氷ディスペンサー１３を置くことによって、セミプライベートのユーザーエクスペリエンスを可能にし、利用可能な製品に対して消費者の注意を更に集中させる。さまざまな実施形態では、氷ディスペンサーハウジング１４は、氷ディスペンサー１３に取り付けられていない。例えば、いくつかの実施形態では、氷ディスペンサーハウジング１４は、スリーブのように氷ディスペンサー１３の上に、又はマスクのように氷ディスペンサー１３の周りにはまり得る。特定の実施形態では、モジュール式分配装置１が現場に設置されるときに、２つのハウジング側壁１９及び２０は、現場の壁に取り付けられる。他の実施形態では、氷ディスペンサーハウジング１４は、１つ以上の取り付け／アンカーポイントで氷ディスペンサー１３に取り付けられ得る。いくつかの実施形態では、２つのハウジング側壁１９及び２０は後壁１５に取り付けられる。更なる実施形態では、２つのハウジング側壁１９及び２０並びに後壁１５は、一体型構造である。
【０２０９】
第１の飲料ディスペンサー１１及び第２の飲料ディスペンサー１２は、特定のタイプの飲料ディスペンサーに限定されない。図１、２、７Ａ、７Ｂ、１２、及び１４は、１つ以上の実施形態による第１の飲料ディスペンサー１１及び第２の飲料ディスペンサー１２を示す。特定の実施形態では、第１の飲料ディスペンサー１１及び第２の飲料ディスペンサー１２は、１つ以上の飲料が分配され得る、１つ以上の分配ヘッド３８を有するタワーを含んでよい。第１の飲料ディスペンサー１１及び第２の飲料ディスペンサー１２は、ホット又はコールド飲料を分配し得る。さまざまな実施形態では、第１の飲料ディスペンサー１１及び第２の飲料ディスペンサー１２は、炭酸飲料、清涼飲料、ソーダ、コーラ、ジュース、茶、水、又はそれらの組み合わせを分配し得る。
【０２１０】
特定の実施形態では、第１の飲料ディスペンサー１１及び／又は第２の飲料ディスペンサー１２は、１つ又は複数の分配ヘッド３８の下に位置付けられたドリップパン４０を有してよい。さまざまな実施形態では、第１の飲料ディスペンサー１１及び／又は第２の飲料ディスペンサー１２は、画面３９を更に含んでよく、その画面で消費者は、利用可能な製品及び消費者が注文した特定の飲料に関する情報を見ることができる。特定の実施形態では、画面３９は、消費者が、第１の飲料ディスペンサー１１及び／又は第２の飲料ディスペンサー１２を操作することを可能にするタッチスクリーンである。さまざまな実施形態では、第１の飲料ディスペンサー１１及び／又は第２の飲料ディスペンサー１２は、第１の飲料ディスペンサー１１及び／又は第２の飲料ディスペンサー１２に位置する広告、ロゴ、商標名、又は図案３６を更に有してよい。
【０２１１】
第１の飲料ディスペンサー１１及び第２の飲料ディスペンサー１２は、ライトを更に有してよい。例えば、特定の実施形態では、第１の飲料ディスペンサー１１及び／又は第２の飲料ディスペンサー１２は、１つ若しくは２つ以上の分配ヘッド３８に隣接して、１つ若しくは２つ以上の分配ヘッド３８の上に、１つ若しくは２つ以上の分配ヘッド３８の下に、１つ若しくは２つ以上の分配ヘッド３８を囲んで、１つ若しくは２つ以上の分配ヘッド３８の中に、又はそれらの組み合わせで位置付けられたライトを有してよい。このようなライトは、何らの特定の種類のライトにも限定されない。
【０２１２】
更なる実施形態では、モジュール式分配装置１は、第１の飲料ディスペンサー１１の前にいるユーザーの存在に基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、動き検出器を更に含んでよい。他の実施形態では、モジュール式分配装置１は、第１の飲料ディスペンサー１１の前にいるユーザーによる１つ以上のジェスチャーに基づいて、第１の飲料ディスペンサーライト（第１の飲料ディスペンサー１１の１つ若しくは２つ以上の分配ヘッド３８に隣接して、第１の飲料ディスペンサー１１の１つ若しくは２つ以上の分配ヘッド３８の上に、第１の飲料ディスペンサー１１の１つ若しくは２つ以上の分配ヘッド３８の下に、第１の飲料ディスペンサー１１の１つ若しくは２つ以上の分配ヘッド３８を囲んで、又は第１の飲料ディスペンサー１１の１つ若しくは２つ以上の分配ヘッド３８の中に位置付けられている、かかるライト）を起動させる、ジェスチャー検出器を更に含んでよい。
【０２１３】
更なる実施形態では、モジュール式分配装置１は、第２の飲料ディスペンサー１２の前にいるユーザーの存在に基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。他の実施形態では、モジュール式分配装置１は、第２の飲料ディスペンサー１２の前にいるユーザーによる１つ以上のジェスチャーに基づいて、第２の飲料ディスペンサーライト（第２の飲料ディスペンサー１２の１つ若しくは２つ以上の分配ヘッド３８に隣接して、第２の飲料ディスペンサー１２の１つ若しくは２つ以上の分配ヘッド３８の上に、第２の飲料ディスペンサー１２の１つ若しくは２つ以上の分配ヘッド３８の下に、第２の飲料ディスペンサー１２の１つ若しくは２つ以上の分配ヘッド３８を囲んで、又は第２の飲料ディスペンサー１２の１つ若しくは２つ以上の分配ヘッド３８の中に位置付けられている、かかるライト）を起動させる、動き検出器を更に含んでよい。
【０２１４】
第１の飲料ディスペンサー１１及び第２の飲料ディスペンサー１２は、任意の好適な分配テクノロジーを使用してよい。例えば、第１の飲料ディスペンサー１１及び第２の飲料ディスペンサー１２は、従来の清涼飲料水混合及び／又は分配機器並びに方法を使用してよい。混合及び／又は移動機器は、貯蔵エリア１７又は遠隔地に配置されてよい。例えば、混合及び／又は移動機器は、現場内部の部屋に配置されてよい。
【０２１５】
さまざまな実施形態は、前側、後側、２つの側壁、上壁、中間壁、及び底壁を有するフレームと、フレーム内の第１のエンクレーブ及び第２のエンクレーブと、第１のエンクレーブ内に位置する第１の飲料ディスペンサーと、第２のエンクレーブ内に位置する第２の飲料ディスペンサーと、第１のエンクレーブと第２のエンクレーブとの間に位置付けられた氷ディスペンサーと、氷ディスペンサーのほぼ全体を囲む氷ディスペンサーハウジングと、を含む、モジュール式分配装置に絞られる。
【０２１６】
特定の実施形態では、中間壁、２つの側壁、及び上壁は、一体型構造である。
【０２１７】
いくつかの実施形態では、後側は後壁を含み、後壁、中間壁、２つの側壁、及び上壁は一体型構造である。
【０２１８】
更なる実施形態では、氷ディスペンサーハウジングは、後壁に取り付けられる。
【０２１９】
なお更なる実施形態では、後側は、２つの側壁、上壁、及び中間壁に取り付けられた後壁を含み、氷ディスペンサーハウジングは後壁に取り付けられる。
【０２２０】
特定の実施形態では、上壁は、第１の飲料ディスペンサーの上に位置する第１のスポットライトと、第２の飲料ディスペンサーの上に位置する第２のスポットライトと、を更に含む。
【０２２１】
さまざまな実施形態では、第１のスポットライト及び第２のスポットライトは上壁に凹設される。
【０２２２】
いくつかの実施形態では、モジュール式分配装置は、第１の飲料ディスペンサーの前にいるユーザーの存在に基づいて、第１の飲料ディスペンサーの上にある第１のスポットライトを起動させる、動き検出器を更に含む。
【０２２３】
１つ以上の実施形態では、モジュール式分配装置が現場に設置されるときに、氷ディスペンサーハウジングは現場の壁に取り付けられる。
【０２２４】
さまざまな実施形態では、モジュール式分配装置が現場に設置されるときに、氷ディスペンサーハウジングは現場の壁と同じ又は類似の色である。
【０２２５】
特定の実施形態では、後側は後壁を含み、モジュール式分配装置が現場に設置されるときに、後壁は現場の壁と同じ又は類似の色である。
【０２２６】
いくつかの実施形態では、後側は後壁を含み、後壁及び氷ディスペンサーハウジングは一体型構造である。
【０２２７】
さまざまな実施形態は、前側、後側、２つの側壁、上壁、中間壁、及び底壁を有するフレームと、フレーム内の第１のエンクレーブ及び第２のエンクレーブと、第１のエンクレーブ内に位置する第１の飲料ディスペンサーと、第２のエンクレーブ内に位置する第２の飲料ディスペンサーと、第１のエンクレーブと第２のエンクレーブとの間に位置付けられた氷ディスペンサーと、氷ディスペンサーを囲み、２つのハウジング側壁及び前壁を有する氷ディスペンサーハウジングと、を含み、前壁が氷ディスペンサーの氷取り出しへのアクセスを可能にする開口部を有する、モジュール式分配装置に絞られる。
【０２２８】
特定の実施形態では、２つのハウジング側壁及び前壁は、一体型構造である。
【０２２９】
いくつかの実施形態では、氷ディスペンサーハウジングは、氷ディスペンサーに取り付けられていない。
【０２３０】
１つ以上の実施形態では、２つのハウジング側壁は、モジュール式分配装置が現場に設置されるときに、現場の壁に取り付けられる。
【０２３１】
さまざまな実施形態では、モジュール式分配装置が現場に設置されるときに、氷ディスペンサーハウジングは現場の壁と同じ又は類似の色である。
【０２３２】
いくつかの実施形態では、後側は後壁を含み、後壁及び氷ディスペンサーハウジングは一体型構造である。
【０２３３】
さまざまな実施形態は、前側、後側、２つの側壁、上壁、中間壁、及び底壁を有し、中間壁、２つの側壁、及び上壁が一体型構造であるフレームと、フレーム内の第１のエンクレーブ及び第２のエンクレーブと、第１のエンクレーブに位置する第１の飲料ディスペンサーと、第２のエンクレーブに位置する第２の飲料ディスペンサーと、第１のエンクレーブと第２のエンクレーブとの間に位置付けられた氷ディスペンサーと、氷ディスペンサーを囲み、かつ、２つのハウジング側壁及び前壁を有する氷ディスペンサーハウジングと、を含み、前壁が氷ディスペンサーの氷取り出し口へのアクセスを可能にする開口部を有し、モジュール式分配装置が現地の壁に隣接して設置される、又は埋め込まれるときに、氷ディスペンサーハウジングが現地の壁と同じ又は類似の色である、モジュール式分配装置に絞られる。
【０２３４】
特定の実施形態では、中間壁、２つの側壁、上壁、及び氷ディスペンサーハウジングは、一体型構造である。
【０２３５】
図１５及び１６は、１つ以上の実施形態による別のモジュール式分配装置１０１を示す。一実施形態では、モジュール式分配装置１０１は、前側１０３、後側１０４、２つの側壁１０５及び１０６、上壁１０７、中間壁１０８、並びに底壁１４１を有する、フレーム１０２を含んでよい。第１のエンクレーブ１０９及び第２のエンクレーブ１１０は、フレーム１０２内に位置してよい。飲料ディスペンサー１３０は、第１のエンクレーブ１０９及び第２のエンクレーブ１１０を形成する中間壁１０８上に位置付けられてよい。また、飲料ディスペンサー１３０は、側壁１０５及び１０６とともに、第１のエンクレーブ１０９及び第２のエンクレーブ１１０を画定し得る、２つのハウジング側壁１９０及び２００を含んでよい。
【０２３６】
また、フレーム１０２は、飲料ディスペンサー１３０の構成要素へのアクセスを可能にするため、取り外し可能な上部２２０を含んでよい。例えば、一体型製氷機は、上部２２０の取り外しによってアクセスされ得る。一実施形態では、上部２２０はまた、グラフィック、広告、ロゴ、商標名、及び／又は図案を表示する窓２２１を含んでよい。
【０２３７】
前側１０３、後側１０４、２つの側壁１０５及び１０６、上壁１０７、中間壁１０８、並びに底壁１４１を含むフレーム１０２と、側壁１９０及び２００は、任意の好適な材料で構成されてよい。例示の材料としては、限定するものではないが、ステンレス鋼、アルミニウム、プラスチック、木材、及びそれらの組み合わせが挙げられる。いくつかの実施形態では、フレーム１０２全体はプラスチックで作製されてよい。他の実施形態では、フレーム１０２全体はステンレス鋼又はアルミニウムで作製されてよい。更に他の実施形態では、中間壁１０８はステンレス鋼で作製されてよく、フレーム１０２の残部はプラスチック等の異なる材料で作製されてよい。
【０２３８】
一実施形態では、底壁１４１、中間壁１０８、２つの側壁１０５及び１０６、並びに上壁１０７は、一体型構造、単一構造、又はそれらの組み合わせであってよい。特定の実施形態では、モジュール式分配装置１０１の底壁１４１、中間壁１０８、２つの側壁１０５及び１０６、並びに上壁１０７は、一体型構造である。更なる実施形態では、他の構成要素が単一構造である一方、フレーム１０２構成要素のいくつかは一体型構造であってよい。例えば、上壁１０７が単一構造である一方、モジュール式分配装置１０１の中間壁１０８、並びに２つの側壁１０５及び１０６は一体型構造であってよい。他の実施形態では、中間壁１０８が単一構造である一方、モジュール式分配装置１０１の上壁１０７、並びに２つの側壁１０５及び１０６は一体型構造であってよい。
【０２３９】
特定の実施形態では、モジュール式分配装置１０１は、中間壁１０８の下に位置する貯蔵エリア１７０を有する。貯蔵エリア１７０は、特に限定されない。例えば、貯蔵エリア１７０は、キャビネット、棚、又はそれらの組み合わせを含んでよい。貯蔵エリア１７０は、飲料用品（すなわち、ストロー、蓋、カップ、等）、飲料成分、炭酸ガス、氷ディスペンサー機器、飲料ディスペンサー機器、冷却機器、ゴミ、又はそれらの組み合わせを収容するために使用されてよい。
【０２４０】
モジュール式分配装置１０１は、現場から離れた場所で建造され、及び／若しくは組み立てられてから目的の現場に移送されるか、現場で建造され、及び／若しくは組み立てられるか、又はそれらの組み合わせであってよい。例えば、一部の実施形態では、モジュール式分配装置１０１全体は、現場から離れた場所で建造され、及び／又は組み立てられてから、目的の現場に移送されてよい。他の実施形態では、モジュール式分配装置１０１全体は、目的の現場の現場で建造され、及び／又は組み立てられてよい。更に他の実施形態では、モジュール式分配装置１０１の構成要素（すなわち、フレーム１０２）は、現場から離れた場所で建造され、目的の現場に移送されてから、残りのモジュール式分配装置１０１の構成要素と一緒に組み立てられてよい。
【０２４１】
例示の現場としては、限定されるものではないが、レストラン、ガソリンスタンド、コンビニエンスストア、劇場、会議場、ショッピングモール、スポーツアリーナ及びスタジアム、空港、カフェテリア、及びその他の娯楽並びに／又はフードサービスサイトが挙げられる。さまざまな実施形態では、モジュール式分配装置１０１は、現場の壁上に、現場の壁にもたれて、現場の壁に隣接して設置される、現場の壁に凹設される、又はそれらの組み合わせによって設置されてよい。特定の実施形態では、フレーム１０２は、現場の壁を画定してよい。他の実施形態では、フレーム１０２及び現場の壁は、一体型構造である。いくつかの実施形態では、設置時に、フレーム１０２が現場の壁と一体化する。
【０２４２】
さまざまな実施形態では、モジュール式分配装置１０１は、目的の現場に容易に移送し、設置できるようにサイズ設定される。例えば、いくつかの実施形態では、モジュール式分配装置１０１は、完全に建造され、及び／又は組み立てられた装置がエレベーターに適合し得るようにサイズ設定される。
【０２４３】
別の実施形態では、フレーム１０２を含むモジュール式分配装置１０１は、飲料ディスペンサー１３０が中間壁１０８を超えて延在し、ユーザーが飲料ディスペンサー１３０及びその関連するユーザーインターフェイスに容易にアクセスできるように、飲料ディスペンサー１３０を位置付けてよい。一実施形態では、図１６に示されるように、中間壁１０８は、２つの側壁１０５及び１０６を超えて突出してもよく、それによって飲料ディスペンサー１３０がなお更に特定の場所へ延在することを可能にし得る。実施形態では、カバー２６０は、飲料ディスペンサー１３０の下に位置付けられてよい。
【０２４４】
さまざまな実施形態は、例に開示される特定の実施形態による範囲に限定されるものではない。例に開示される特定の実施形態は、いくつかの態様の図を意図するものであり、機能的に同等の実施形態はいずれも、この開示の範囲内にある。実際に、本明細書に表示及び記載される内容に加え、さまざまな実施形態のさまざまな改良例が明らかになるであろう。また、それらの改良例は、添付の特許請求の範囲の範囲内に収まることが意図される。
【０２４５】
特定の氷ディスペンサー、氷ディスペンサーハウジング、及び飲料ディスペンサーは、特定の変更例を示すために使用されるが、さまざまな実施形態は、本明細書に開示される構成要素のいずれかを使用した、本明細書に開示される任意のモジュール式分配装置の調製に適している。本開示の利益に加え、当業者であれば、さまざまなパラメーターは、異なる構成要素の使用に合わせて補正するための調節を必要とし得ることがわかるであろう。
【０２４６】
本仕様に使用される用語は、別途記載のない限り、さまざまな実施形態が関係する当該分野で通常使用される意味を有することが理解されるものとする。
【０２４７】
製品が特定の構成要素を有する、含む、若しくは備えるものとして本明細書に記載されている場合、又は工程が特定の工程段階を有する、含む、若しくは備えるものとして本明細書に記載されている場合、さまざまな実施形態の製品もまた、表記された構成要素から本質的になり得る、又はそれらからなり得ることと、さまざまな実施形態の工程もまた、表記された工程段階から本質的になる、又はそれらからなることと、が想到される。
【０２４８】
値の範囲が提供されている場合、文脈において明確に別途指示がない限り、下限値の単位の１０分の１まで、その範囲の上限値と下限値との間のそれぞれの中間の値、及びその示された範囲のいずれかの他の示された又は中間の値が、本開示の範囲内に包含される。これらのより狭い範囲の上限値及び下限値は、より狭い範囲に独立して含まれてよく、これらも本開示の範囲内に包含され、示された範囲内でいずれかの明確に除外された限界値に従う。示された範囲が限界値の一方又は両方を含む場合、含まれる限界値のいずれか又は両方を除外する範囲も本開示に含まれる。例えば、数値範囲「１〜５」は、明示的に表記された値１及び５だけではなく、示された範囲内の個々の値及び副範囲も含むと解釈されるべきである。したがって、この数値範囲には、２、３、４等の個々の値、及び１〜３、２〜４、３〜５等の副範囲が含まれる。例示の値又は範囲のリストは、所定の範囲の上限値と下限値との間、並びに上限値及び下限値を含む、他の値又は範囲の否認ではない。
【０２４９】
特定の範囲は、数値の前に「約」という用語が付けられた状態で、本明細書に提示されている。用語「約」は、その後に続く正確な数、並びにその用語の後に続く数に近い又はおおよその数についての文字による支持を提供するために、本明細書で用いられる。ある数が明確に表記された数に近い又はおおよその数であるかどうかを決定する際、その近い又はおおよその表記されていない数（unrequited number）は、それが提示されている文脈において、明確に表記された数の実質的な均等物を提供する数であってよい。
【０２５０】
本明細書及び添付の特許請求の範囲で用いられている名詞は、文脈において明確に別段の指示がない限り、複数の対象を含むことに留意されたい。特許請求の範囲はいずれかの任意の要素を除外するように起案されてよいことにも更に留意されたい。したがって、この記述は、特許請求の範囲の要素の詳細説明に関連した「単に（solely）」、「のみ（only）」等の排他的な用語の使用、又は「否定的な」限定の使用のための先に立つ基礎としての役割を果たすことを意図する。
【０２５１】
本明細書で記載及び例示されている個々の実施形態はそれぞれ、本開示の範囲又は趣旨から逸脱することなく他のいくつかの実施形態のいずれかの特徴と容易に区別し得る又は組み合わせ得る、別個の構成要素及び特徴を有する。表記されたいずれの方法も、表記された事象の順序、又は論理的に可能ないずれかの他の順序で実施され得る。
【０２５２】
本発明は、本発明を実行する現在の好ましい機序を含み、特定の例示に関して記載されているが、当業者は、添付の特許請求の範囲に記述されている、本発明の趣旨及び範囲内にある、前述のシステム及びテクニックの多くの変更例及び置き換えが存在することを理解するであろう。
【図１】
0006305549.tif 000002
【図２】
0006305549.tif 000003
【図３】
0006305549.tif 000004
【図４】
0006305549.tif 000005
【図５】
0006305549.tif 000006
【図６Ａ】
0006305549.tif 000007
【図６Ｂ】
0006305549.tif 000008
【図７Ａ】
0006305549.tif 000009
【図７Ｂ】
0006305549.tif 000010
【図８】
0006305549.tif 000011
【図９】
0006305549.tif 000012
【図１０Ａ−１０Ｄ】
0006305549.tif 000013
【図１１Ａ−１１Ｂ】
0006305549.tif 000014
【図１２】
0006305549.tif 000015
【図１３】
0006305549.tif 000016
【図１４】
0006305549.tif 000017
【図１５】
0006305549.tif 000018
【図１６】
0006305549.tif 000019